(57)【要約】データ伝送の効率化を図るために、ＵＥ３００とＤｅＮＢ１００との間の通信を中継するＲＮ２００は、ＵＥ３００から送信されてきた上りデータをＤｅＮＢ１００へ送信することが可能なタイミングをＤｅＮＢ１００へ通知してから、上りデータをＤｅＮＢ１００へ送信する。
2016059782.tif 000002
【特許請求の範囲】
【請求項１】
通信端末から送信されてきた上りデータを無線基地局へ送信することが可能なタイミングを該無線基地局へ通知してから、前記上りデータを前記無線基地局へ送信する送信手段を有する無線中継局。
【請求項２】
請求項１に記載の無線中継局において、
前記送信手段は、
前記通信端末から送信されてきた上りデータを無線基地局へ送信するための上りスケジューリング要求信号を、該上りスケジューリング要求信号に対する応答信号を受信可能なタイミングを示す情報と、上りバッファ状態報告信号を前記無線基地局へ送信することが可能なタイミングを示す情報とを含めて、前記無線基地局へ送信する上りスケジューリング要求信号送信手段と、
前記上りスケジューリング要求信号に対する応答信号を受信した後、前記上りバッファ状態報告信号を、該上りバッファ状態報告信号に対する応答信号を受信可能なタイミングを示す情報と、前記上りデータを前記無線基地局へ送信することが可能なタイミングを示す情報とを含めて、前記無線基地局へ送信する上りバッファ状態報告信号送信手段とを有する無線中継局。
【請求項３】
通信端末との間の通信を中継する無線中継局へ下りデータを送信することが可能なタイミングを該無線中継局へ通知してから、前記下りデータを前記無線中継局へ送信する送信手段を有する無線基地局。
【請求項４】
請求項３に記載の無線基地局において、
前記送信手段は、
前記無線中継局へ下りデータを送信するための下りスケジューリング要求信号を、該下りスケジューリング要求信号に対する応答信号を受信可能なタイミングを示す情報と、下りバッファ状態報告信号を前記無線中継局へ送信することが可能なタイミングを示す情報とを含めて、前記無線中継局へ送信する下りスケジューリング要求信号送信手段と、
前記下りスケジューリング要求信号に対する応答信号を受信した後、前記下りバッファ状態報告信号を、該下りバッファ状態報告信号に対する応答信号を受信可能なタイミングを示す情報と、前記下りデータを前記無線中継局へ送信することが可能なタイミングを示す情報とを含めて、前記無線中継局へ送信する下りバッファ状態報告信号送信手段とを有する無線基地局。
【請求項５】
無線基地局と、通信端末と前記無線基地局との間の通信を中継する無線中継局とを有する通信システムにおいて、
前記無線中継局は、前記通信端末から送信されてきた上りデータを前記無線基地局へ送信することが可能なタイミングを該無線基地局へ通知してから、前記上りデータを前記無線基地局へ送信する送信手段を有する通信システム。
【請求項６】
無線基地局と、通信端末と前記無線基地局との間の通信を中継する無線中継局とを有する通信システムにおいて、
前記無線基地局は、前記無線中継局へ下りデータを送信することが可能なタイミングを該無線中継局へ通知してから、前記下りデータを前記無線中継局へ送信する送信手段を有する通信システム。
【請求項７】
通信端末から送信されてきた上りデータを無線基地局へ送信することが可能なタイミングを該無線基地局へ通知してから、前記上りデータを前記無線基地局へ送信する処理を行う通信方法。
【請求項８】
通信端末との間の通信を中継する無線中継局へ下りデータを送信することが可能なタイミングを該無線中継局へ通知してから、前記下りデータを前記無線中継局へ送信する処理を行う通信方法。
【請求項９】
無線基地局と、通信端末と前記無線基地局との間の通信を中継する無線中継局とを有する通信システムにおける通信方法であって、
前記無線中継局が、前記通信端末から送信されてきた上りデータを前記無線基地局へ送信することが可能なタイミングを該無線基地局へ通知してから、前記上りデータを前記無線基地局へ送信する処理を行う通信方法。
【請求項１０】
無線基地局と、通信端末と前記無線基地局との間の通信を中継する無線中継局とを有する通信システムにおける通信方法であって、
前記無線基地局が、前記無線中継局へ下りデータを送信することが可能なタイミングを該無線中継局へ通知してから、前記下りデータを前記無線中継局へ送信する処理を行う通信方法。
【発明の詳細な説明】
【技術分野】
【０００１】
本発明は、通信を行う無線中継局、無線基地局、通信システムおよび通信方法に関する。
【背景技術】
【０００２】
近年、無線基地局のカバーエリアを実質的に広くするために、または、通信端末における受信信号の電界強度を保つために、無線基地局と接続された無線中継局を設け、無線中継局に無線基地局と通信端末との間の通信を中継させる技術が考えられている。【０００３】
図２１は、中継装置が設けられた一般的な無線通信システムの一形態を示す図である。【０００４】
図２１に示した無線通信システムは、無線基地局であるＤｅＮＢ（Ｄｏｎｏｒ  eｖｏｌｖｅｄ  Ｎｏｄｅ  Ｂ）１０００−１、１０００−２と、無線中継局であるＲＮ（Ｒｅｌａｙ  Ｎｏｄｅ）２０００と、通信端末であるＵＥ（Ｕｓｅｒ  Ｅｑｕｉｐｍｅｎｔ）３０００−１、３０００−２とから構成されている。【０００５】
ＲＮ２０００は、ＤｅＮＢ１０００−１とＵＥ３０００−１との間の通信を中継する。
また、ＲＮ２０００は、ＤｅＮＢ１０００−２とＵＥ３０００−２との間の通信を中継する。【０００６】
また、上記のような無線中継局において、無線中継局が下り回線制御信号を通信端末へ送信しているタイミングで、下り回線制御信号が無線基地局から送信されてきた場合に、無線基地局から送信されてきた下り回線制御信号を受信できるようなリソース領域を割り当てる技術が考えられている（例えば、特許文献１参照。）。
【先行技術文献】
【特許文献】
【０００７】
【特許文献１】国際公開第２０１２／１４７２９５号
【発明の概要】
【発明が解決しようとする課題】
【０００８】
以下に、図２１に示した無線通信システムにおける処理について説明する。【０００９】
図２２は、図２１に示した無線通信システムにおける上りデータ送信処理の一例を説明するためのシーケンス図である。【００１０】
まず、ＵＥ３０００−１が、上りデータをＤｅＮＢ１０００−１へ送信するための上りスケジューリング要求信号（ＳＲ＿ａ）をＲＮ２０００へ送信する。すると、ＲＮ２０００は、その応答信号として上りスケジューリング情報信号（ＵＬ＿Ｇｒａｎｔ  ｆｏｒ  ＳＲ＿ａ）をＵＥ３０００−１へ送信する。続いて、ＵＥ３０００−１は、上りデータを一時格納しておくバッファの格納状態を示す上りバッファ状態報告信号（ＢＳＲ＿ａ）をＲＮ２０００へ送信する。すると、ＲＮ２０００は、その応答信号（ＵＬ＿Ｇｒａｎｔ  ｆｏｒ  ＢＳＲ＿ａ）をＵＥ３０００−１へ送信する。ＵＬ＿Ｇｒａｎｔ  ｆｏｒ  ＢＳＲ＿ａを受信したＵＥ３０００−１は、ＤｅＮＢ１０００−１へ送信する上りデータ（ＵＬ＿Ｄａｔａ＿ａ）をＲＮ２０００へ送信する。ＲＮ２０００は、ＵＥ３０００−１からＵＬ＿Ｄａｔａ＿ａを受信すると、ＤｅＮＢ１０００−１へＳＲ＿ａを送信する。【００１１】
また、ＵＥ３０００−２が、上りデータをＤｅＮＢ１０００−２へ送信するための上りスケジューリング要求信号（ＳＲ＿ｂ）をＲＮ２０００へ送信する。すると、ＲＮ２０００は、その応答信号として上りスケジューリング情報信号（ＵＬ＿Ｇｒａｎｔ  ｆｏｒ  ＳＲ＿ｂ）をＵＥ３０００−２へ送信する。続いて、ＵＥ３０００−２は、上りデータを一時格納しておくバッファの格納状態を示す上りバッファ状態報告信号（ＢＳＲ＿ｂ）をＲＮ２０００へ送信する。すると、ＲＮ２０００は、その応答信号（ＵＬ＿Ｇｒａｎｔ  ｆｏｒ  ＢＳＲ＿ｂ）をＵＥ３０００−２へ送信する。ＵＬ＿Ｇｒａｎｔ  ｆｏｒ  ＢＳＲ＿ｂを受信したＵＥ３０００−２は、ＤｅＮＢ１０００−２へ送信する上りデータ（ＵＬ＿Ｄａｔａ＿ｂ）をＲＮ２０００へ送信する。ＲＮ２０００は、ＵＥ３０００−２からＵＬ＿Ｄａｔａ＿ｂを受信すると、ＤｅＮＢ１０００−２へＳＲ＿ｂを送信する。【００１２】
その後、ＤｅＮＢ１０００−１がＲＮ２０００へＵＬ＿Ｇｒａｎｔ  ｆｏｒ  ＳＲ＿ａを送信すると同時に、ＤｅＮＢ１０００−２がＲＮ２０００へＵＬ＿Ｇｒａｎｔ  ｆｏｒ  ＳＲ＿ｂを送信すると、ＲＮ２０００は、どちらか一方の上りスケジューリング情報信号の受信処理しかできない。また、ＲＮ２０００は、ＤｅＮＢ１０００−１へのＢＳＲ＿ａの送信と、ＤｅＮＢ１０００−２へのＢＳＲ＿ｂとの送信を同時に行おうとしても、どちらか一方への上りバッファ状態報告信号しか送信できない。【００１３】
また、ＤｅＮＢ１０００−１がＲＮ２０００へＵＬ＿Ｇｒａｎｔ  ｆｏｒ  ＢＳＲ＿ａを送信すると同時に、ＤｅＮＢ１０００−２がＲＮ２０００へＵＬ＿Ｇｒａｎｔ  ｆｏｒ  ＢＳＲ＿ｂを送信すると、ＲＮ２０００は、どちらか一方の応答信号の受信処理しかできない。また、ＲＮ２０００は、ＤｅＮＢ１０００−１へのＵＬ＿Ｄａｔａ＿ａの送信と、ＤｅＮＢ１０００−２へのＵＬ＿Ｄａｔａ＿ｂとの送信を同時に行おうとしても、どちらか一方への上りデータしか送信できない。【００１４】
このように、複数の無線基地局との間における信号の送信タイミングや受信タイミングが同時になってしまう場合がある。例えば、ＲＮ２０００がＤｅＮＢ１０００−２との間のこれらの信号の送受信ができなかったとすると、ＤｅＮＢ１０００−２との間でこれらの信号の再送処理が行われ、上りデータ伝送が遅延するという問題点がある。【００１５】
図２３は、図２１に示した無線通信システムにおける上りデータ送信処理の他の例を説明するためのシーケンス図である。図２３において、ＲＮ２０００が、ＤｅＮＢ１０００−１へのＵＬ＿Ｄａｔａ＿ａの送信と、ＤｅＮＢ１０００−２へのＵＬ＿Ｄａｔａ＿ｂとの送信を同時に行おうとする手順までは、図２２と同様である。図２３では、その後にパケットが破棄される場合について説明する。【００１６】
図２３は、複数の無線基地局との間における信号の送信タイミングや受信タイミングが同時になってしまい、例えば、ＲＮ２０００がＤｅＮＢ１０００−２との間のこれらの信号の送受信ができないと、遅延に伴うパケット（上りデータ）が破棄される場合を示す。例えば、ＲＮ２０００がＤｅＮＢ１０００−２へ上りデータを送信できないことにより、上りデータをＲＮ２０００内にバッファリングしておく時間がタイムアウトした場合に、バッファリングされていた上りデータが破棄されてしまう。すると、再度、ＵＥ３０００−２とＲＮ２０００との間で、上記の信号の送受信が行われ、ＲＮ２０００とＤｅＮＢ１０００−２との間でこれらの信号の再送処理が行われ、上りデータ伝送の遅延が生じてしまうという問題点がある。【００１７】
図２４は、図２１に示した無線通信システムにおける下りデータ送信処理の一例を説明するためのシーケンス図である。【００１８】
ＤｅＮＢ１０００−１がＲＮ２０００へ下りデータ（ＤＬ＿Ｄａｔａ＿ａ）を送信すると同時に、ＤｅＮＢ１０００−２がＲＮ２０００へ下りデータ（ＤＬ＿Ｄａｔａ＿ｂ）を送信すると、ＲＮ２０００は、どちらか一方の下りデータの受信処理しかできない。例えば、ＲＮ２０００がＤｅＮＢ１０００−１から送信されてきたＤＬ＿Ｄａｔａ＿ａの受信処理しかできなかった場合、ＲＮ２０００は、ＵＥ３０００−１へＤＬ＿Ｄａｔａ＿ａを送信する。すると、ＵＥ３０００−１は下りデータを受信した応答としてＡｃｋ（ＨＡＲＱ）＿ａをＲＮ２０００へ送信する。【００１９】
ＲＮ２０００は、ＵＥ３０００−１からＡｃｋ（ＨＡＲＱ）＿ａを受信すると、ＤｅＮＢ１０００−１へＡｃｋ（ＨＡＲＱ）＿ａを送信する。一方、ＲＮ２０００は、ＤｅＮＢ１０００−２から下りデータを受信していないため、その旨を示す信号であるＮａｃｋ（ＨＡＲＱ）＿ｂをＤｅＮＢ１０００−２へ送信する。【００２０】
すると、ＤｅＮＢ１０００−２は、ＲＮ２０００へ、ＵＥ３０００−２へ送信する下りデータ（ＤＬ＿Ｄａｔａ＿ｂ）を再送する。ＤｅＮＢ１０００−２からＤＬ＿Ｄａｔａ＿ｂを受信したＲＮ２０００は、ＤＬ＿Ｄａｔａ＿ｂをＵＥ３０００−２へ送信する。【００２１】
このように、下りデータ伝送についても、上りデータ伝送と同様に、同時送信による遅延が生じてしまうという問題点がある。【００２２】
また、特許文献１に記載された技術は、リソース領域の割り当てを行う技術に過ぎず、上記の構成と同様に、複数のノードとの間の同時送信や同時受信によるデータ伝送遅延を防ぐことができないという問題点がある。【００２３】
本発明の目的は、上述した課題を解決する無線中継局、無線基地局、通信システムおよび通信方法を提供することである。
【課題を解決するための手段】
【００２４】
本発明の無線中継局は、
通信端末から送信されてきた上りデータを無線基地局へ送信することが可能なタイミングを該無線基地局へ通知してから、前記上りデータを前記無線基地局へ送信する送信手段を有する。【００２５】
また、本発明の無線基地局は、
通信端末との間の通信を中継する無線中継局へ下りデータを送信することが可能なタイミングを該無線中継局へ通知してから、前記下りデータを前記無線中継局へ送信する送信手段を有する。【００２６】
また、本発明の通信システムは、
無線基地局と、通信端末と前記無線基地局との間の通信を中継する無線中継局とを有する通信システムであって、
前記無線中継局は、前記通信端末から送信されてきた上りデータを前記無線基地局へ送信することが可能なタイミングを該無線基地局へ通知してから、前記上りデータを前記無線基地局へ送信する送信手段を有する。【００２７】
また、本発明の通信システムは、
無線基地局と、通信端末と前記無線基地局との間の通信を中継する無線中継局とを有する通信システムであって、
前記無線基地局は、前記無線中継局へ下りデータを送信することが可能なタイミングを該無線中継局へ通知してから、前記下りデータを前記無線中継局へ送信する送信手段を有する。【００２８】
また、本発明の通信方法は、
通信端末から送信されてきた上りデータを無線基地局へ送信することが可能なタイミングを該無線基地局へ通知してから、前記上りデータを前記無線基地局へ送信する処理を行うことを含む。【００２９】
また、本発明の通信方法は、
通信端末との間の通信を中継する無線中継局へ下りデータを送信することが可能なタイミングを該無線中継局へ通知してから、前記下りデータを前記無線中継局へ送信する処理を行うことを含む。【００３０】
また、本発明の通信方法は、
無線基地局と、通信端末と前記無線基地局との間の通信を中継する無線中継局とを有する通信システムにおける通信方法であって、
前記無線中継局が、前記通信端末から送信されてきた上りデータを前記無線基地局へ送信することが可能なタイミングを該無線基地局へ通知してから、前記上りデータを前記無線基地局へ送信する処理を行うことを含む。【００３１】
また、本発明の通信方法は、
無線基地局と、通信端末と前記無線基地局との間の通信を中継する無線中継局とを有する通信システムにおける通信方法であって、
前記無線基地局が、前記無線中継局へ下りデータを送信することが可能なタイミングを該無線中継局へ通知してから、前記下りデータを前記無線中継局へ送信する処理を行うことを含む。
【発明の効果】
【００３２】
以上説明したように、本発明においては、データ伝送の効率化を図ることができる。
【図面の簡単な説明】
【００３３】
【図１】本発明の通信システムの第１の実施の形態を示す図である。
【図２】図１に示したＲＮの内部構成の一例を示す図である。
【図３】図１に示した通信システムにおける通信方法の一例を説明するためのフローチャートである。
【図４】本発明の通信システムの第２の実施の形態を示す図である。
【図５】図４に示したＤｅＮＢの内部構成の一例を示す図である。
【図６】図４に示した通信システムにおける通信方法の一例を説明するためのフローチャートである。
【図７】本発明の通信システムの第３の実施の形態を示す図である。
【図８】図７に示したＲＮの内部構成の一例を示す図である。
【図９】図７に示したＤｅＮＢの内部構成の一例を示す図である。
【図１０】図７に示した通信システムにおける通信方法のうち、図７に示したＲＮにおけるＵＬ  ＳＲ／ＵＬ  ＢＳＲの送信処理の一例を説明するためのフローチャートである。
【図１１】図７に示した通信システムにおける通信方法のうち、図７に示したＤｅＮＢにおけるＵＬ  Ｇｒａｎｔの送信処理の一例を説明するためのフローチャートである。
【図１２】図７に示した通信システムにおける通信方法のうち、図７に示したＲＮにおけるＵＬ  Ｄａｔａの送信処理の一例を説明するためのフローチャートである。
【図１３】図７に示した通信システムにおけるデータの流れの一例を説明するためのシーケンス図である。
【図１４】本発明の通信システムの第４の実施の形態を示す図である。
【図１５】図１４に示したＲＮの内部構成の一例を示す図である。
【図１６】図１４に示したＤｅＮＢの内部構成の一例を示す図である。
【図１７】図１４に示した通信システムにおける通信方法のうち、図１４に示したＤｅＮＢにおけるＤＬ  ＳＲ／ＤＬ  ＢＳＲの送信処理の一例を説明するためのフローチャートである。
【図１８】図１４に示した通信システムにおける通信方法のうち、図１４に示したＲＮにおけるＤＬ  Ｇｒａｎｔの送信処理の一例を説明するためのフローチャートである。
【図１９】図１４に示した通信システムにおける通信方法のうち、図１４に示したＤｅＮＢにおけるＤＬ  Ｄａｔａの送信処理の一例を説明するためのフローチャートである。
【図２０】図１４に示した通信システムにおけるデータの流れの一例を説明するためのシーケンス図である。
【図２１】中継装置が設けられた一般的な無線通信システムの一形態を示す図である。
【図２２】図２１に示した無線通信システムにおける上りデータ送信処理の一例を説明するためのシーケンス図である。
【図２３】図２１に示した無線通信システムにおける上りデータ送信処理の他の例を説明するためのシーケンス図である。
【図２４】図２１に示した無線通信システムにおける下りデータ送信処理の一例を説明するためのシーケンス図である。
【発明を実施するための形態】
【００３４】
以下に、本発明の実施の形態について図面を参照して説明する。
（第１の実施の形態）
図１は、本発明の通信システムの第１の実施の形態を示す図である。本形態における通信システムは図１に示すように、ＤｅＮＢ１００と、ＲＮ２００と、ＵＥ３００とを具備している。ＤｅＮＢ１００は、ＲＮ２００を介してＵＥ３００と通信を行う無線基地局である。ＲＮ２００は、ＤｅＮＢ１００とＵＥ３００との間の通信を中継する無線中継局である。ＵＥ３００は、ＲＮ２００を介してＤｅＮＢ１００と通信を行う通信端末である。
【００３５】
図２は、図１に示したＲＮ２００の内部構成の一例を示す図である。図１に示したＲＮ２００は図２に示すように、送信部２０１を有している。なお、図２には、図１に示したＲＮ２００が具備する構成要素のうち、本形態に関わる構成要素のみを示した。
【００３６】
送信部２０１は、ＵＥ３００から送信されてきた上りデータをＤｅＮＢ１００へ送信する。このとき、送信部２０１は、ＵＥ３００から送信されてきた上りデータをＤｅＮＢ１００へ送信することが可能なタイミングをＤｅＮＢ１００へ通知してから、上りデータをＤｅＮＢ１００へ送信する。なお、本願の各ブロック図において、ブロックに付された矢印は説明に対応する信号の伝搬方向のみを示し、他の信号の伝搬方向を限定しない。
【００３７】
以下に、図１に示した通信システムにおける通信方法について説明する。図３は、図１に示した通信システムにおける通信方法の一例を説明するためのフローチャートである。まず、ＲＮ２００が、ＵＥ３００から送信されてきた上りデータを受信すると（ステップＳ１）、送信部２０１は、上りデータを送信することが可能なタイミングをＤｅＮＢ１００へ通知する（ステップＳ２）。その後、当該タイミングで、送信部２０１は、上りデータをＤｅＮＢ１００へ送信する（ステップＳ３）。このように、無線中継局が、自身が上りデータを送信することが可能なタイミングを無線基地局へ通知してから、当該タイミングで上りデータを無線基地局へ送信する。そのため、第１の実施の形態の通信システムは、上りデータの送信失敗を防ぐことができ、ひいては、データ伝送の効率化を図ることができる。
（第２の実施の形態）
図４は、本発明の通信システムの第２の実施の形態を示す図である。本形態における通信システムは図４に示すように、ＤｅＮＢ１０１と、ＲＮ２０２と、ＵＥ３００とを具備している。ＤｅＮＢ１０１は、ＲＮ２０２を介してＵＥ３００と通信を行う無線基地局である。ＲＮ２０２は、ＤｅＮＢ１０１とＵＥ３００との間の通信を中継する無線中継局である。ＵＥ３００は、ＲＮ２０２を介してＤｅＮＢ１０１と通信を行う通信端末である。
【００３８】
図５は、図４に示したＤｅＮＢ１０１の内部構成の一例を示す図である。図４に示したＤｅＮＢ１０１は図５に示すように、送信部１０２を有している。なお、図５には、図４に示したＤｅＮＢ１０１が具備する構成要素のうち、本形態に関わる構成要素のみを示した。送信部１０２は、ＲＮ２０２へ下りデータを送信することが可能なタイミングをＲＮ２０２へ通知してから、下りデータをＲＮ２０２へ送信する。
以下に、図４に示した通信システムにおける通信方法について説明する。図６は、図４に示した通信システムにおける通信方法の一例を説明するためのフローチャートである。まず、ＤｅＮＢ１０１が、ＤｅＮＢ１０１の上位装置（例えば、ＳＧＷ：Ｓｅｒｖｉｎｇ  Ｇａｔｅｗａｙ）から送信されてきた下りデータを受信すると（ステップＳ１１）、送信部１０２は、下りデータを送信することが可能なタイミングをＲＮ２０２へ通知する（ステップＳ１２）。その後、当該タイミングで、送信部１０２は、下りデータをＲＮ２０２へ送信する（ステップＳ１３）。
【００３９】
このように、無線基地局が、自身が下りデータを送信することが可能なタイミングを無線中継局へ通知してから、当該タイミングで下りデータを無線中継局へ送信する。そのため、第２の実施の形態の通信システムは、下りデータの送信失敗を防ぐことができ、ひいては、データ伝送の効率化を図ることができる。
（第３の実施の形態）
図７は、本発明の通信システムの第３の実施の形態を示す図である。本形態における通信システムは図７に示すように、ＤｅＮＢ１０３−１、１０３−２と、ＲＮ２０３と、ＵＥ３００−１、３００−２とを具備している。ＤｅＮＢ１０３−１は、ＲＮ２０３を介してＵＥ３００−１と通信を行う無線基地局である。ＤｅＮＢ１０３−２は、ＲＮ２０３を介してＵＥ３００−２と通信を行う無線基地局である。ＲＮ２０３は、ＤｅＮＢ１０３−１とＵＥ３００−１との間の通信およびＤｅＮＢ１０３−２とＵＥ３００−２との間の通信を中継する無線中継局である。また、ＲＮ２０３は、ＳＣ−ＦＤＭＡまたはＴＤ−ＳＣＤＭＡの通信方式を用いて、ＤｅＮＢ１０３−１及び１０３−２へ上りの信号を送信する。ＳＣ−ＦＤＭＡは「Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ」の略であり、ＴＤ−ＳＣＤＭＡは、「Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ」の略である。ＵＥ３００−１は、ＲＮ２０３を介してＤｅＮＢ１０３−１と通信を行う通信端末である。ＵＥ３００−２は、ＲＮ２０３を介してＤｅＮＢ１０３−２と通信を行う通信端末である。
【００４０】
図８は、図７に示したＲＮ２０３の内部構成の一例を示す図である。
【００４１】
図７に示したＲＮ２０３は図８に示すように、送信部２０４と、ＵＬ  Ｄａｔａ受信部２１１とを有している。さらに、送信部２０４は、ＵＬ  Ｇｒａｎｔ受信部２１０と、ＵＬ  Ｇｒａｎｔ情報蓄積部２１２と、ＵＬ  ＳＲ／ＢＳＲ情報蓄積部２１３と、ＵＬ送信確定タイミング抽出部２１４と、ＵＬ送受信候補タイミング抽出部２１５と、ＵＬ対向ノード判別部２１６と、ＵＬ対向ノードフラグ付与部２１７と、ＵＬ送受信可能タイミング候補付与部２１８と、ＵＬ  ＳＲ／ＢＳＲ判別部２１９と、ＵＬ  ＢＳＲ生成部２２０と、ＵＬ  ＢＳＲ送信部２２１と、ＵＬ  ＳＲ生成部２２２と、ＵＬ  ＳＲ送信部２２３と、ＵＬ  Ｄａｔａ送信可否判別部２２４と、ＳＲ／ＢＳＲ再送処理部２２５と、ＵＬ  Ｄａｔａ送信部２２６とを有している。なお、図８には、図７に示したＲＮ２０３が具備する構成要素のうち、本形態に関わる構成要素のみを示した。
【００４２】
ＵＬ  Ｄａｔａ受信部２１１は、ＵＥ３００−１、３００−２から送信されてきた上りデータを受信し、受信した上りデータをＵＬ対向ノード判別部２１６へ出力する。
【００４３】
ＵＬ  Ｇｒａｎｔ受信部２１０は、ＤｅＮＢ１０３−１、１０３−２から送信されてきた上りスケジューリング情報等の応答信号（ＵＬ  Ｇｒａｎｔ）を受信し、ＵＬ  Ｇｒａｎｔ情報蓄積部２１２へ出力する。
【００４４】
ＵＬ  Ｇｒａｎｔ情報蓄積部２１２は、ＵＬ  Ｇｒａｎｔ受信部２１０から出力されてきたＵＬ  Ｇｒａｎｔを蓄積する。
【００４５】
ＵＬ  ＳＲ／ＢＳＲ情報蓄積部２１３は、ＵＬ  ＳＲ送信部２２３から送信済みの上りスケジューリング要求（ＵＬ  Ｓｃｈｅｄｕｌｉｎｇ  Ｒｅｑｕｅｓｔ：以下、ＵＬ  ＳＲと称する）信号に含まれる上りバッファ状態報告（ＵＬ  Ｂｕｆｆｅｒ  Ｓｔａｔｕｓ  Ｒｅｐｏｒｔ：以下、ＵＬ  ＢＳＲと称する）信号の送信タイミング情報およびＵＬ  Ｇｒａｎｔの受信タイミング情報を蓄積する。また、ＵＬ  ＳＲ／ＢＳＲ情報蓄積部２１３は、ＵＬ  ＢＳＲ送信部２２１から送信済みのＵＬ  ＢＳＲに含まれる上りデータ（ＵＬ  Ｄａｔａ）の送信タイミング情報およびＵＬ  Ｇｒａｎｔの受信タイミング情報を蓄積する。
【００４６】
ＵＬ送信確定タイミング抽出部２１４は、ＵＬ  Ｇｒａｎｔ情報蓄積部２１２が蓄積しているＵＬ  Ｇｒａｎｔに基づいて、ＵＬ  ＳＲに含めるＵＬ  ＢＳＲの送信可能タイミング候補を抽出する。また、ＵＬ送信確定タイミング抽出部２１４は、ＵＬ  Ｇｒａｎｔ情報蓄積部２１２が蓄積しているＵＬ  Ｇｒａｎｔに基づいて、ＵＬ  ＢＳＲに含めるＵＬ  Ｄａｔａの送信可能タイミング候補を抽出する。
【００４７】
ＵＬ送受信候補タイミング抽出部２１５は、ＵＬ  ＳＲ／ＢＳＲ情報蓄積部２１３が蓄積しているＵＬ  ＳＲに含まれているＵＬ  ＢＳＲを送信する送信タイミング候補およびＵＬ  Ｇｒａｎｔの受信タイミングを参照する。また、ＵＬ送受信候補タイミング抽出部２１５は、ＵＬ  ＳＲ／ＢＳＲ情報蓄積部２１３が蓄積しているＵＬ  ＢＳＲに含まれているＵＬ  Ｄａｔａを送信する送信タイミング候補およびＵＬ  Ｇｒａｎｔの受信タイミングを参照する。そして、ＵＬ送受信候補タイミング抽出部２１５は、これらの参照したタイミングから、該当ＵＬ  ＳＲ／ＢＳＲで送信することが可能な次ＵＬ  ＢＳＲ／ＵＬ  Ｄａｔａに対する送信タイミング候補と、該当ＵＬ  ＢＳＲ／ＵＬ  Ｄａｔａを送信するためのＵＬ  Ｇｒａｎｔを受信する受信タイミング候補とを抽出する。
【００４８】
ＵＬ対向ノード判別部２１６は、対向ノードを判別する。具体的には、ＵＬ対向ノード判別部２１６は、対向ノードが、ＤｅＮＢ１０３−１、１０３−２であるか、またはＳＧＷのような上位装置であるかを判別する。本形態においては、送信部２０４がＲＮ２０３に実装されているため、ＵＬ対向ノード判別部２１６は、対向ノードはＤｅＮＢ１０３−１、１０３−２であると判別する。一方、送信部２０４がＤｅＮＢ１０３−１やＤｅＮＢ１０３−２に実装されている場合は、ＵＬ対向ノード判別部２１６は、対向ノードはそれらの上位装置であるＳＧＷであると判別する。
【００４９】
ＵＬ対向ノードフラグ付与部２１７は、ＵＬ対向ノード判別部２１６が判別した結果に応じてフラグを付与する。
【００５０】
ＵＬ送受信可能タイミング候補付与部２１８は、ＵＬ送信確定タイミング抽出部２１４およびＵＬ送受信候補タイミング抽出部２１５が抽出した情報に基づいて、ＵＬ  ＳＲに含めるＵＬ  ＢＳＲの送信可能タイミング候補およびＵＬ  Ｇｒａｎｔの受信可能タイミング候補を付与する。また、ＵＬ送受信可能タイミング候補付与部２１８は、ＵＬ送信確定タイミング抽出部２１４およびＵＬ送受信候補タイミング抽出部２１５が抽出した情報に基づいて、ＵＬ  ＢＳＲに含めるＵＬ  Ｄａｔａの送信可能タイミング候補およびＵＬ  Ｇｒａｎｔの受信可能タイミング候補を付与する。
【００５１】
ＵＬ  ＳＲ／ＢＳＲ判別部２１９は、ＵＬ  Ｇｒａｎｔに基づいて、次に送信すべき信号がＵＬ  ＳＲとＵＬ  ＢＳＲとのどちらであるかを判別する。
【００５２】
ＵＬ  ＢＳＲ生成部２２０は、ＵＬ  ＳＲ／ＢＳＲ判別部２１９が、次に送信すべき信号がＵＬ  ＢＳＲであると判別した場合、上記タイミング情報を含めたＵＬ  ＢＳＲを生成する。
【００５３】
ＵＬ  ＢＳＲ送信部２２１は、ＵＬ  ＢＳＲ生成部２２０が生成したＵＬ  ＢＳＲをＤｅＮＢ１０３−１、１０３−２へ送信する上りバッファ状態報告信号送信部である。つまり、ＵＬ  ＢＳＲ送信部２２１は、ＵＬ  ＢＳＲをＤｅＮＢ１０３−１、１０３−２へ送信する際、ＵＬ  ＢＳＲに対するＵＬ  Ｇｒａｎｔを受信可能なタイミングを示す情報と、ＵＬ  ＤａｔａをＤｅＮＢ１０３−１、１０３−２へ送信することが可能なタイミングを示す情報とをＵＬ  ＢＳＲに含めて送信する。
【００５４】
ＵＬ  ＳＲ生成部２２２は、ＵＬ  ＳＲ／ＢＳＲ判別部２１９が、次に送信すべき信号がＵＬ  ＳＲであると判別した場合、上記タイミング情報を含めたＵＬ  ＳＲを生成する。
【００５５】
ＵＬ  ＳＲ送信部２２３は、ＵＬ  ＳＲ生成部２２２が生成したＵＬ  ＳＲをＤｅＮＢ１０３−１、１０３−２へ送信する上りスケジューリング要求信号送信部である。つまり、ＵＬ  ＳＲ送信部２２３は、ＵＬ  ＳＲをＤｅＮＢ１０３−１、１０３−２へ送信する際、ＵＬ  ＳＲに対するＵＬ  Ｇｒａｎｔを受信可能なタイミングを示す情報と、ＵＬ  ＢＳＲをＤｅＮＢ１０３−１、１０３−２へ送信することが可能なタイミングを示す情報とをＵＬ  ＳＲに含めて送信する。
【００５６】
ＵＬ  Ｄａｔａ送信可否判別部２２４は、ＵＬ  Ｇｒａｎｔ情報蓄積部２１２が蓄積しているＵＬ  Ｇｒａｎｔに基づいて、ＵＬ  Ｄａｔａの送信の可否を判別する。具体的には、ＵＬ  Ｄａｔａ送信可否判別部２２４は、ＵＬ  Ｇｒａｎｔ情報蓄積部２１２が蓄積しているＵＬ  Ｇｒａｎｔで通知した送信タイミングに基づいて、ＵＬ  Ｄａｔａの送信の可否を判別する。
【００５７】
ＳＲ／ＢＳＲ再送処理部２２５は、ＵＬ  Ｄａｔａ送信可否判別部２２４がＵＬ  Ｄａｔａを送信することができないと判別した場合、ＵＬ  ＳＲおよびＵＬ  ＢＳＲの再送処理を行う。
【００５８】
ＵＬ  Ｄａｔａ送信部２２６は、ＵＬ  Ｄａｔａ送信可否判別部２２４がＵＬ  Ｄａｔａを送信することができると判別した場合、ＤｅＮＢ１０３−１、１０３−２へＵＬ  Ｄａｔａを送信する。
【００５９】
図９は、図７に示したＤｅＮＢ１０３−１の内部構成の一例を示す図である。図７に示したＤｅＮＢ１０３−１は、図９に示すように、ＵＬ  ＳＲ／ＢＳＲ受信部１１０と、ＵＬ  ＳＲ／ＢＳＲ情報蓄積部１１１と、ＵＬ送受信候補タイミング抽出部１１２と、ＵＬ  Ｇｒａｎｔ情報蓄積部１１３と、ＵＬ送受信確定タイミング抽出部１１４と、ＵＬ対向ノード判別部１１５と、ＵＬ  Ｇｒａｎｔ確定タイミング付与部１１６と、ＵＬ  Ｇｒａｎｔ生成部１１７と、ＵＬ  Ｇｒａｎｔ送信部１１８とを有している。なお、図９には、図７に示したＤｅＮＢ１０３−１が具備する構成要素のうち、本形態に関わる構成要素のみを示した。また、図７に示したＤｅＮＢ１０３−２も、図９に示した構成要素を具備している。
【００６０】
ＵＬ  ＳＲ／ＢＳＲ受信部１１０は、ＲＮ２０３から送信されてきたＵＬ  ＳＲおよびＵＬ  ＢＳＲを受信し、ＵＬ対向ノード判別部１１５へ出力する。
【００６１】
ＵＬ  ＳＲ／ＢＳＲ情報蓄積部１１１は、ＵＬ  ＳＲ／ＢＳＲ受信部１１０から出力されてきたＵＬ  ＳＲに含まれているＵＬ  ＢＳＲの送信可能タイミング候補およびＵＬ  Ｇｒａｎｔの受信可能タイミング候補情報を蓄積する。また、ＵＬ  ＳＲ／ＢＳＲ情報蓄積部１１１は、ＵＬ  ＳＲ／ＢＳＲ受信部１１０から出力されてきたＵＬ  ＢＳＲに含まれているＵＬ  Ｄａｔａの送信可能タイミング候補およびＵＬ  Ｇｒａｎｔの受信可能タイミング候補情報を蓄積する。
【００６２】
ＵＬ送受信候補タイミング抽出部１１２は、ＵＬ  ＳＲ／ＢＳＲ情報蓄積部１１１に蓄積されているＵＬ  ＢＳＲの送信可能タイミング候補およびＵＬ  Ｇｒａｎｔの受信可能タイミング候補情報を抽出する。また、ＵＬ送受信候補タイミング抽出部１１２は、ＵＬ  ＳＲ／ＢＳＲ情報蓄積部１１１に蓄積されているＵＬ  Ｄａｔａの送信可能タイミング候補およびＵＬ  Ｇｒａｎｔの受信可能タイミング候補情報を抽出する。
【００６３】
ＵＬ  Ｇｒａｎｔ情報蓄積部１１３は、ＵＬ  Ｇｒａｎｔ送信部１１８から送信済みのＵＬ  ＢＳＲ／ＵＬ  Ｄａｔａの送信タイミングおよびＵＬ  Ｇｒａｎｔの受信タイミング情報を蓄積する。
【００６４】
ＵＬ送受信確定タイミング抽出部１１４は、ＵＬ  Ｇｒａｎｔ情報蓄積部１１３に蓄積されているＵＬ  ＢＳＲ／ＵＬ  Ｄａｔａの送信タイミングおよびＵＬ  Ｇｒａｎｔの受信タイミング情報を抽出する。
【００６５】
ＵＬ対向ノード判別部１１５は、対向ノードを判別する。具体的には、ＵＬ対向ノード判別部１１５は、下位に接続された対向ノードが、ＵＥ３００−１、３００−２であるか、またはＲＮ２０３であるかを判別する。本形態においては、図９に示した構成要素がＤｅＮＢ１０３−１に実装されているため、ＵＬ対向ノード判別部１１５は、対向ノードはＲＮ２０３であると判別する。一方、図９に示した構成要素がＲＮ２０３に実装されている場合は、ＵＬ対向ノード判別部１１５は、対向ノードはＵＥ３００−１、３００−２であると判別する。
【００６６】
ここで、ＵＬ対向ノード判別部１１５が、対向ノードはＵＥ３００−１、３００−２であると判別したとする。この場合には、ＵＬ  Ｇｒａｎｔ確定タイミング付与部１１６は、ＵＬ送受信確定タイミング抽出部１１４が抽出したタイミング以外のタイミングを、ＵＬ  Ｇｒａｎｔの受信タイミングおよびＵＬ  ＢＳＲ／ＵＬ  Ｄａｔａの送信タイミングとして付与する。
また、ＵＬ対向ノード判別部１１５が、対向ノードはＲＮ２０３であると判別したとする。この場合には、ＵＬ  Ｇｒａｎｔ確定タイミング付与部１１６は、ＵＬ送受信確定タイミング抽出部１１４およびＵＬ送受信候補タイミング抽出部１１２が抽出したタイミングを、ＵＬ  Ｇｒａｎｔの受信タイミングおよびＵＬ  ＢＳＲ／ＵＬ  Ｄａｔａの送信タイミングとして付与する。
【００６７】
ＵＬ  Ｇｒａｎｔ生成部１１７は、ＵＬ  Ｇｒａｎｔ確定タイミング付与部１１６が付与した情報に基づいて、ＵＬ  Ｇｒａｎｔを生成し、ＵＬ  Ｇｒａｎｔ送信部１１８へ出力する。
【００６８】
ＵＬ  Ｇｒａｎｔ送信部１１８は、ＵＬ  Ｇｒａｎｔ生成部１１７から出力されてきたＵＬ  ＧｒａｎｔをＲＮ２０３へ送信する。
【００６９】
以下に、図７に示した通信システムにおける通信方法について説明する。ここでは、ＤｅＮＢ１０３−１とＵＥ３００−１との間の通信をＲＮ２０３が中継する場合を例に挙げて説明する。
【００７０】
まずは、図７に示したＲＮ２０３におけるＵＬ  ＳＲ／ＵＬ  ＢＳＲの送信処理について説明する。
【００７１】
図１０は、図７に示した通信システムにおける通信方法のうち、図７に示したＲＮ２０３におけるＵＬ  ＳＲ／ＵＬ  ＢＳＲの送信処理の一例を説明するためのフローチャートである。
【００７２】
まず、ＲＮ２０３が、ＵＬ  ＳＲまたはＵＬ  ＢＳＲの送信を開始すると（ステップＳ２１）、ＵＬ対向ノード判別部２１６が、対向ノードがＤｅＮＢ１０３−１と、ＳＧＷ等の上位装置とのどちらであるかを判別する（ステップＳ２２）。ＵＬ対向ノード判別部２１６が、対向ノードがＤｅＮＢ１０３−１であると判別すると、ＵＬ対向ノードフラグ付与部２１７は、ＤｅＮＢフラグを付与する（ステップＳ２３）。
【００７３】
すると、ＵＬ送信確定タイミング抽出部２１４は、ＵＬ  Ｇｒａｎｔ受信部２１０がＵＬ  Ｇｒａｎｔを受信しているか、つまり、ＵＬ  Ｇｒａｎｔ情報蓄積部２１２がＵＬ  Ｇｒａｎｔを蓄積しているかどうかを判別する（ステップＳ２４）。ＵＬ  Ｇｒａｎｔ情報蓄積部２１２がＵＬ  Ｇｒａｎｔを蓄積している場合、ＵＬ送信確定タイミング抽出部２１４は、蓄積しているＵＬ  Ｇｒａｎｔで割り当て済みのＵｐｌｉｎｋの送信タイミングを除去する（ステップＳ２５）。
【００７４】
一方、ステップＳ２４にて、ＵＬ  Ｇｒａｎｔ情報蓄積部２１２がＵＬ  Ｇｒａｎｔを蓄積していない場合、ステップＳ２５の処理は行われない。
【００７５】
続いて、ＵＬ  ＳＲ／ＢＳＲ情報蓄積部２１３は、ＵＬ  ＳＲ送信部２２３がＵＬ  ＳＲを送信済みか、またはＵＬ  ＢＳＲ送信部２２１がＵＬ  ＢＳＲを送信済みかどうかを判別する（ステップＳ２６）。この判別には、ＵＬ  ＳＲ／ＢＳＲ情報蓄積部２１３が、ＵＬ  ＢＳＲの送信タイミング情報およびＵＬ  Ｇｒａｎｔの受信タイミング情報、またはＵＬ  Ｄａｔａの送信タイミング情報およびＵＬ  Ｇｒａｎｔの受信タイミング情報を蓄積しているかどうかを判別することを用いる。
【００７６】
例えば、ＵＬ  ＳＲ／ＢＳＲ情報蓄積部２１３が、ＵＬ  ＢＳＲの送信タイミング情報およびＵＬ  Ｇｒａｎｔの受信タイミング情報を蓄積している場合、ＵＬ  ＳＲ／ＢＳＲ情報蓄積部２１３は、ＵＬ  ＳＲ送信部２２３がＵＬ  ＳＲを送信済みであると判別する。また、例えば、ＵＬ  ＳＲ／ＢＳＲ情報蓄積部２１３が、ＵＬ  Ｄａｔａの送信タイミング情報およびＵＬ  Ｇｒａｎｔの受信タイミング情報を蓄積している場合、ＵＬ  ＳＲ／ＢＳＲ情報蓄積部２１３は、ＵＬ  ＢＳＲ送信部２２１がＵＬ  ＢＳＲを送信済みであると判別する。
【００７７】
ＵＬ  ＳＲ／ＢＳＲ情報蓄積部２１３が、ＵＬ  ＳＲ送信部２２３がＵＬ  ＳＲを送信済みであると判別した場合、ＵＬ送受信候補タイミング抽出部２１５は、ＵＬ  ＳＲを用いて通知済みのＵＬ  Ｇｒａｎｔ受信可能タイミングとＵｐｌｉｎｋ送信可能タイミングとを除去する。また、ＵＬ  ＳＲ／ＢＳＲ情報蓄積部２１３が、ＵＬ  ＢＳＲ送信部２２１がＵＬ  ＢＳＲを送信済みであると判別した場合、ＵＬ送受信候補タイミング抽出部２１５は、ＵＬ  ＢＳＲを用いて通知済みのＵＬ  Ｇｒａｎｔ受信可能タイミングとＵｐｌｉｎｋ送信可能タイミングとを除去する（ステップＳ２７）。
【００７８】
一方、ステップＳ２６にて、ＵＬ  ＳＲ／ＢＳＲ情報蓄積部２１３が、ＵＬ  ＳＲ送信部２２３がＵＬ  ＳＲを、またＵＬ  ＢＳＲ送信部２２１がＵＬ  ＢＳＲを送信済みではないと判別した場合は、ステップＳ２７の処理は行われない。
【００７９】
続いて、ＵＬ送受信可能タイミング候補付与部２１８は、送信する信号がＵＬ  ＳＲである場合、上記のタイミングの除去の結果に基づいて、ＵＬ  ＳＲに含めるＵＬ  ＢＳＲの送信可能タイミング候補およびＵＬ  Ｇｒａｎｔの受信可能タイミング候補を付与する。すると、付与されたタイミング情報を含めたＵＬ  ＳＲをＵＬ  ＳＲ生成部２２２が生成し、ＵＬ  ＳＲ送信部２２３がＤｅＮＢ１０３−１へ送信する。また、ＵＬ送受信可能タイミング候補付与部２１８は、送信する信号がＵＬ  ＢＳＲである場合、上記のタイミングの除去の結果に基づいて、ＵＬ  Ｄａｔａの送信可能タイミング候補およびＵＬ  Ｇｒａｎｔの受信可能タイミング候補を付与する。すると、付与されたタイミング情報を含めたＵＬ  ＢＳＲをＵＬ  ＢＳＲ生成部２２０が生成し、ＵＬ  ＢＳＲ送信部２２１がＤｅＮＢ１０３−１へ送信する（ステップＳ２８）。
【００８０】
一方、送信部２０４がＤｅＮＢ１０３−１に実装されている場合、ステップＳ２２にて、ＵＬ対向ノード判別部２１６が、対向ノードがＳＧＷであると判別するため、ＵＬ対向ノードフラグ付与部２１７は、ＳＧＷフラグを付与する（ステップＳ２９）。そして、ＤｅＮＢ１０３−１は、ＵＬ  ＤａｔａをＳＧＷへ送信する（ステップＳ３０）。
【００８１】
次に、図７に示したＤｅＮＢ１０３−１におけるＵＬ  Ｇｒａｎｔの送信処理について説明する。
【００８２】
図１１は、図７に示した通信システムにおける通信方法のうち、図７に示したＤｅＮＢ１０３−１におけるＵＬ  Ｇｒａｎｔの送信処理の一例を説明するためのフローチャートである。
【００８３】
まず、ＵＬ  ＳＲ／ＢＳＲ受信部１１０がＵＬ  ＳＲまたはＵＬ  ＢＳＲを受信すると（ステップＳ４１）、ＵＬ  Ｇｒａｎｔ送信部１１８が他のＵＬ  Ｇｒａｎｔを送信したかどうかを判別する（ステップＳ４２）。例えば、ＵＬ  Ｇｒａｎｔ情報蓄積部１１３が、ＵＬ  Ｇｒａｎｔ送信部１１８から送信済みのＵＬ  Ｇｒａｎｔの受信タイミング情報を蓄積しているかどうかに基づいて、ＵＬ  Ｇｒａｎｔ送信部１１８が他のＵＬ  Ｇｒａｎｔを送信したかどうかを判別するものであっても良い。具体的には、ＵＬ  Ｇｒａｎｔ情報蓄積部１１３が、ＵＬ  Ｇｒａｎｔ送信部１１８から送信済みのＵＬ  Ｇｒａｎｔの受信タイミング情報を蓄積している場合、ＵＬ  Ｇｒａｎｔ送信部１１８が他のＵＬ  Ｇｒａｎｔを送信したと判別するものであっても良い。
【００８４】
ＵＬ  Ｇｒａｎｔ送信部１１８が他のＵＬ  Ｇｒａｎｔを送信したと判別した場合、ＵＬ送受信確定タイミング抽出部１１４は、ＵＬ  Ｇｒａｎｔ情報蓄積部１１３が蓄積しているＵＬ  Ｇｒａｎｔで割り当て済みのＵＬ  Ｇｒａｎｔの受信タイミングとＵｐｌｉｎｋの送信タイミングとを除去する（ステップＳ４３）。
【００８５】
一方、ステップＳ４２にて、ＵＬ  Ｇｒａｎｔ情報蓄積部１１３がＵＬ  Ｇｒａｎｔを蓄積していない場合、ステップＳ４３の処理は行われない。
【００８６】
続いて、ＵＬ  ＳＲ／ＢＳＲ受信部１１０が受信したＵＬ  ＳＲ／ＵＬ  ＢＳＲの中にＵＬ  Ｇｒａｎｔ受信可能タイミングとＵｐｌｉｎｋ送信可能タイミングとが含まれているかどうかを、ＵＬ  ＳＲ／ＢＳＲ情報蓄積部１１１が判別する（ステップＳ４４）。ＵＬ  ＳＲ／ＢＳＲ受信部１１０が受信したＵＬ  ＳＲ／ＵＬ  ＢＳＲの中にＵＬ  Ｇｒａｎｔ受信可能タイミングとＵｐｌｉｎｋ送信可能タイミングとが含まれている場合、ＵＬ  ＳＲ／ＢＳＲ情報蓄積部１１１は、それらのタイミングを蓄積する。すると、ＵＬ送受信候補タイミング抽出部１１２は、ＵＬ  ＳＲ／ＢＳＲ情報蓄積部１１１に蓄積されているＵＬ  Ｇｒａｎｔ受信可能タイミングとＵｐｌｉｎｋ送信可能タイミングとを抽出する（ステップＳ４５）。
【００８７】
続いて、ＵＬ  Ｇｒａｎｔ確定タイミング付与部１１６は、ＵＬ送受信確定タイミング抽出部１１４およびＵＬ送受信候補タイミング抽出部１１２が抽出したタイミングで、ＵＬ  Ｇｒａｎｔを送信可能であるかどうかを判別する（ステップＳ４６）。ＵＬ  Ｇｒａｎｔ確定タイミング付与部１１６が、抽出されたタイミングでＵＬ  Ｇｒａｎｔを送信可能であると判別した場合、当該タイミングをＵＬ  Ｇｒａｎｔの受信タイミングおよびＵＬ  ＢＳＲ／ＵＬ  Ｄａｔａの送信タイミングとして付与する。すると、ＵＬ  Ｇｒａｎｔ生成部１１７は、ＵＬ  Ｇｒａｎｔ確定タイミング付与部１１６が付与した情報に基づいて、ＵＬ  Ｇｒａｎｔを生成する。続いて、ＵＬ  Ｇｒａｎｔ送信部１１８は、ＵＬ  Ｇｒａｎｔ生成部１１７が生成したＵＬ  ＧｒａｎｔをＲＮ２０３へ送信する（ステップＳ４７）。
【００８８】
一方、ステップＳ４４にて、ＵＬ  ＳＲ／ＢＳＲ受信部１１０が受信したＵＬ  ＳＲ／ＵＬ  ＢＳＲの中にＵＬ  Ｇｒａｎｔ受信可能タイミングとＵｐｌｉｎｋ送信可能タイミングとが含まれていない場合、ＵＬ  Ｇｒａｎｔ生成部１１７はＵＬ  Ｇｒａｎｔを生成する。続いて、ＵＬ  Ｇｒａｎｔ送信部１１８は、ＵＬ  Ｇｒａｎｔ生成部１１７が生成したＵＬ  ＧｒａｎｔをＲＮ２０３へ送信する（ステップＳ４８）。
【００８９】
また、ステップＳ４６にて、ＵＬ  Ｇｒａｎｔ確定タイミング付与部１１６が、抽出されたタイミングでＵＬ  Ｇｒａｎｔを送信可能ではないと判別したとする。この場合には、ＵＬ  Ｇｒａｎｔ確定タイミング付与部１１６は、当該タイミング以外のタイミングをＵＬ  Ｇｒａｎｔの受信タイミングおよびＵＬ  ＢＳＲ／ＵＬ  Ｄａｔａの送信タイミングとして付与する。すると、ＵＬ  Ｇｒａｎｔ生成部１１７は、ＵＬ  Ｇｒａｎｔ確定タイミング付与部１１６が付与した情報に基づいて、ＵＬ  Ｇｒａｎｔを生成する。続いて、ＵＬ  Ｇｒａｎｔ送信部１１８は、ＵＬ  Ｇｒａｎｔ生成部１１７が生成したＵＬ  ＧｒａｎｔをＲＮ２０３へ送信する（ステップＳ４９）。
【００９０】
次に、図７に示したＲＮ２０３におけるＵＬ  Ｄａｔａの送信処理について説明する。
【００９１】
図１２は、図７に示した通信システムにおける通信方法のうち、図７に示したＲＮ２０３におけるＵＬ  Ｄａｔａの送信処理の一例を説明するためのフローチャートである。
【００９２】
まず、ＵＬ  Ｇｒａｎｔ受信部２１０が、ＤｅＮＢ１０３−１から送信されてきたＵＬ  Ｇｒａｎｔを受信すると（ステップＳ５１）、受信したＵＬ  Ｇｒａｎｔに含まれるタイミング情報をＵＬ  Ｇｒａｎｔ情報蓄積部２１２が蓄積する。続いて、ＵＬ  Ｄａｔａ送信可否判別部２２４が、ＵＬ  Ｇｒａｎｔ情報蓄積部２１２に蓄積されたタイミング情報に基づいて、ＵＬ  Ｄａｔａを送信できるかどうかを判別する（ステップＳ５２）。例えば、ＵＬ  Ｄａｔａ送信可否判別部２２４は、ＵＬ  Ｇｒａｎｔ情報蓄積部２１２が蓄積しているタイミング情報が他のＤｅＮＢへの送信に使われている場合、ＵＬ  Ｄａｔａを送信できないと判別する。ＵＬ  Ｄａｔａ送信可否判別部２２４が、ＵＬ  Ｇｒａｎｔ受信部２１０が受信したタイミングでＵＬ  Ｄａｔａを送信できると判別した場合、ＵＬ  Ｄａｔａ送信部２２６は当該タイミングでＵＬ  ＤａｔａをＤｅＮＢ１０３−１へ送信する（ステップＳ５３）。
【００９３】
一方、ステップＳ５２にて、ＵＬ  Ｄａｔａ送信可否判別部２２４が、ＵＬ  Ｇｒａｎｔ受信部２１０が受信したタイミングでＵＬ  Ｄａｔａを送信できないと判別した場合は、ＳＲ／ＢＳＲ再送処理部２２５はＵＬ  ＳＲ／ＢＳＲの再送処理を行う（ステップＳ５４）。
【００９４】
以下に、上述した処理に基づいた、ＵＥ３００−１及び３００−２、ＲＮ２０３、ＤｅＮＢ１０３−１及び１０３−２の間のデータの流れについて説明する。図１３は、図７に示した通信システムにおけるデータの流れの一例を説明するためのシーケンス図である。
【００９５】
まず、ＵＥ３００−１が、上りデータであるＵＬ  ＤａｔａをＤｅＮＢ１０３−１へ送信するための上りスケジューリング要求信号（ＵＬ  ＳＲ＿ａ）をＲＮ２０３へ送信する（ステップＳ６１）。すると、ＲＮ２０３は、その応答信号（ＵＬ  Ｇｒａｎｔ  ｆｏｒ  ＳＲ＿ａ）をＵＥ３００−１へ送信する（ステップＳ６２）。続いて、ＵＥ３００−１は、ＵＬ  Ｄａｔａを一時格納しておくバッファの格納状態を示す上りバッファ状態報告信号（ＵＬ  ＢＳＲ＿ａ）をＲＮ２０３へ送信する（ステップＳ６３）。すると、ＲＮ２０３は、その応答信号（ＵＬ  Ｇｒａｎｔ  ｆｏｒ  ＢＳＲ＿ａ）をＵＥ３００−１へ送信する（ステップＳ６４）。ＵＬ  Ｇｒａｎｔ  ｆｏｒ  ＢＳＲ＿ａを受信したＵＥ３００−１は、ＤｅＮＢ１０３−１へ送信する上りデータ（ＵＬ  Ｄａｔａ＿ａ）をＲＮ２０３へ送信する（ステップＳ６５）。
【００９６】
ＲＮ２０３は、ＵＥ３００−１からＵＬ  Ｄａｔａ＿ａを受信すると、ＤｅＮＢ１０３−１へＵＬ  ＳＲ＿ａを送信する（ステップＳ６６）。このとき、ＲＮ２０３は、その応答信号であるＵＬ  Ｇｒａｎｔ  ｆｏｒ  ＳＲ＿ａの受信可能なタイミングと、ＵＬ  ＢＳＲ＿ａの送信可能なタイミングとを、ＵＬ  ＳＲ＿ａに含めて送信する。
【００９７】
また、ＵＥ３００−２が、上りデータであるＵＬ  ＤａｔａをＤｅＮＢ１０３−２へ送信するための上りスケジューリング要求信号（ＵＬ  ＳＲ＿ｂ）をＲＮ２０３へ送信する（ステップＳ６７）。すると、ＲＮ２０３は、その応答信号（ＵＬ  Ｇｒａｎｔ  ｆｏｒ  ＳＲ＿ｂ）をＵＥ３００−２へ送信する（ステップＳ６８）。続いて、ＵＥ３００−２は、ＵＬ  Ｄａｔａを一時格納しておくバッファの格納状態を示す上りバッファ状態報告信号（ＵＬ  ＢＳＲ＿ｂ）をＲＮ２０３へ送信する（ステップＳ６９）。すると、ＲＮ２０３は、その応答信号（ＵＬ  Ｇｒａｎｔ  ｆｏｒ  ＢＳＲ＿ｂ）をＵＥ３００−２へ送信する（ステップＳ７０）。ＵＬ  Ｇｒａｎｔ  ｆｏｒ  ＢＳＲ＿ｂを受信したＵＥ３００−２は、ＤｅＮＢ１０３−２へ送信する上りデータ（ＵＬ  Ｄａｔａ＿ｂ）をＲＮ２０３へ送信する（ステップＳ７１）。
【００９８】
ＲＮ２０３は、ＵＥ３００−２からＵＬ  Ｄａｔａ＿ｂを受信すると、ＤｅＮＢ１０３−２へＵＬ  ＳＲ＿ｂを送信する（ステップＳ７２）。このとき、ＲＮ２０３は、その応答信号であるＵＬ  Ｇｒａｎｔ  ｆｏｒ  ＳＲ＿ｂの受信可能なタイミングと、ＵＬ  ＢＳＲ＿ｂの送信可能なタイミングとを、ＵＬ  ＳＲ＿ｂに含めて送信する。
【００９９】
ここで、ステップＳ６６にて送信されるＵＬ  Ｇｒａｎｔ  ｆｏｒ  ＳＲ＿ａの受信可能なタイミングと、ステップＳ７２にて送信されるＵＬ  Ｇｒａｎｔ  ｆｏｒ  ＳＲ＿ｂの受信可能なタイミングとは、一方の受信処理が他方の受信処理に影響を与えないタイミングである。このことは上述した通りである。
また、ステップＳ６６にてＵＬ  ＳＲ＿ａに含まれるＵＬ  ＢＳＲ＿ａの送信可能なタイミングと、ステップＳ７２にてＵＬ  ＳＲ＿ｂに含まれるＵＬ  ＢＳＲ＿ｂの送信可能なタイミングとは、一方の送信処理が他方の送信処理に影響を与えないタイミングである。このことも上述した通りである。
【０１００】
すると、ＤｅＮＢ１０３−１が、ＲＮ２０３から送信されてきたＵＬ  ＳＲ＿ａに含まれたＵＬ  Ｇｒａｎｔ  ｆｏｒ  ＳＲ＿ａの受信可能なタイミングに基づいて、ＵＬ  Ｇｒａｎｔ  ｆｏｒ  ＳＲ＿ａをＲＮ２０３へ送信する（ステップＳ７３）。また、ＤｅＮＢ１０３−２が、ＲＮ２０３から送信されてきたＵＬ  ＳＲ＿ｂに含まれたＵＬ  Ｇｒａｎｔ  ｆｏｒ  ＳＲ＿ｂの受信可能なタイミングに基づいて、ＵＬ  Ｇｒａｎｔ  ｆｏｒ  ＳＲ＿ｂをＲＮ２０３へ送信する（ステップＳ７４）。
【０１０１】
続いて、ＲＮ２０３は、ステップＳ６６でＤｅＮＢ１０３−１へ通知したタイミングで、ＤｅＮＢ１０３−１へＵＬ  ＢＳＲ＿ａを送信する（ステップＳ７５）。このとき、ＲＮ２０３は、その応答信号であるＵＬ  Ｇｒａｎｔ  ｆｏｒ  ＢＳＲ＿ａの受信可能なタイミングと、ＵＬ  Ｄａｔａ＿ａの送信可能なタイミングとを、ＵＬ  ＢＳＲ＿ａに含めて送信する。また、ＲＮ２０３は、ステップＳ７２でＤｅＮＢ１０３−２へ通知したタイミングで、ＤｅＮＢ１０３−２へＵＬ  ＢＳＲ＿ｂを送信する（ステップＳ７６）。このとき、ＲＮ２０３は、その応答信号であるＵＬ  Ｇｒａｎｔ  ｆｏｒ  ＢＳＲ＿ｂの受信可能なタイミングと、ＵＬ  Ｄａｔａ＿ｂの送信可能なタイミングとを、ＵＬ  ＢＳＲ＿ｂに含めて送信する。
【０１０２】
ここで、ステップＳ７５にてＵＬ  ＢＳＲ＿ａに含まれるＵＬ  Ｇｒａｎｔ  ｆｏｒ  ＢＳＲ＿ａの受信可能なタイミングと、ステップＳ７６にてＵＬ  ＢＳＲ＿ｂに含まれるＵＬ  Ｇｒａｎｔ  ｆｏｒ  ＢＳＲ＿ｂの受信可能なタイミングとは、一方の受信処理が他方の受信処理に影響を与えないタイミングである。このことは上述した通りである。また、ステップＳ７５にてＵＬ  ＢＳＲ＿ａに含まれるＵＬ  Ｄａｔａ＿ａの送信可能なタイミングと、ステップＳ７６にてＵＬ  ＢＳＲ＿ｂに含まれるＵＬ  Ｄａｔａ＿ｂの送信可能なタイミングとは、一方の送信処理が他方の送信処理に影響を与えないタイミングである。このことも上述した通りである。
【０１０３】
すると、ＤｅＮＢ１０３−１が、ＲＮ２０３から送信されてきたＵＬ  ＢＳＲ＿ａに含まれたＵＬ  Ｇｒａｎｔ  ｆｏｒ  ＢＳＲ＿ａの受信可能なタイミングに基づいて、ＵＬ  Ｇｒａｎｔ  ｆｏｒ  ＢＳＲ＿ａをＲＮ２０３へ送信する（ステップＳ７７）。また、ＤｅＮＢ１０３−２が、ＲＮ２０３から送信されてきたＵＬ  ＢＳＲ＿ｂに含まれたＵＬ  Ｇｒａｎｔ  ｆｏｒ  ＢＳＲ＿ｂの受信可能なタイミングに基づいて、ＵＬ  Ｇｒａｎｔ  ｆｏｒ  ＢＳＲ＿ｂをＲＮ２０３へ送信する（ステップＳ７８）。
【０１０４】
続いて、ＲＮ２０３は、ステップＳ７５でＤｅＮＢ１０３−１へ通知したタイミングで、ＤｅＮＢ１０３−１へＵＬ  Ｄａｔａ＿ａを送信する（ステップＳ７９）。また、ＲＮ２０３は、ステップＳ７６でＤｅＮＢ１０３−２へ通知したタイミングで、ＤｅＮＢ１０３−２へＵＬ  Ｄａｔａ＿ｂを送信する（ステップＳ８０）。
【０１０５】
このように、ＲＮ２０３が、自身が応答信号を受信することが可能なタイミングや、上りデータを送信することが可能なタイミングをＤｅＮＢ１０３−１、１０３−２へ通知してから、当該タイミングで要求信号や上りデータをＤｅＮＢ１０３−１、１０３−２へ送信する。そのため、第３の実施の形態の通信システムは、応答信号の受信処理の失敗や上りデータの送信処理の失敗を防ぐことができ、ひいては、データ伝送の効率化を図ることができる。
（第４の実施の形態）
図１４は、本発明の通信システムの第４の実施の形態を示す図である。
【０１０６】
本形態における通信システムは図１４に示すように、ＤｅＮＢ１０４−１、１０４−２と、ＲＮ２０５と、ＵＥ３００−１、３００−２とを具備している。
【０１０７】
ＤｅＮＢ１０４−１は、ＲＮ２０５を介してＵＥ３００−１と通信を行う無線基地局である。ＤｅＮＢ１０４−２は、ＲＮ２０５を介してＵＥ３００−２と通信を行う無線基地局である。ＤｅＮＢ１０４−１、１０４−２は、直交周波数分割多重アクセス方式を用いて、ＲＮ２０５へ下りの信号を送信する。
【０１０８】
ＲＮ２０５は、ＤｅＮＢ１０４−１とＵＥ３００−１との間の通信およびＤｅＮＢ１０４−２とＵＥ３００−２との間の通信を中継する無線中継局である。
【０１０９】
ＵＥ３００−１は、ＲＮ２０５を介してＤｅＮＢ１０４−１と通信を行う通信端末である。ＵＥ３００−２は、ＲＮ２０５を介してＤｅＮＢ１０４−２と通信を行う通信端末である。
【０１１０】
図１５は、図１４に示したＲＮ２０５の内部構成の一例を示す図である。
【０１１１】
図１４に示したＲＮ２０５は図１５に示すように、ＤＬ  ＳＲ／ＢＳＲ受信部２３１と、ＤＬ  ＳＲ／ＢＳＲ情報蓄積部２３２と、ＤＬ送受信候補タイミング抽出部２３３と、ＤＬ  Ｇｒａｎｔ情報蓄積部２３４と、ＤＬ送受信確定タイミング抽出部２３５と、ＤＬ  Ｇｒａｎｔ確定タイミング付与部２３６と、ＤＬ  Ｇｒａｎｔ生成部２３７と、ＤＬ  Ｇｒａｎｔ送信部２３８とを有している。なお、図１５には、図１４に示したＲＮ２０５が具備する構成要素のうち、本形態に関わる構成要素のみを示した。
【０１１２】
ＤＬ  ＳＲ／ＢＳＲ受信部２３１は、ＤｅＮＢ１０４−１、１０４−２から送信されてきた下りスケジューリング情報（ＤＬ  Ｓｃｈｅｄｕｌｉｎｇ  Ｒｅｑｕｅｓｔ：以下、ＤＬ  ＳＲと称する）および下りバッファ状態報告（ＤＬ  Ｂｕｆｆｅｒ  Ｓｔａｔｕｓ  Ｒｅｐｏｒｔ：以下、ＤＬ  ＢＳＲと称する）を受信する。ＤＬ  ＳＲ／ＢＳＲ受信部２３１は、受信したＤＬ  ＳＲおよびＤＬ  ＢＳＲをＤＬ  ＳＲ／ＢＳＲ情報蓄積部２３２へ出力する。
【０１１３】
ＤＬ  ＳＲ／ＢＳＲ情報蓄積部２３２は、ＤＬ  ＳＲ／ＢＳＲ受信部２３１から出力されてきたＤＬ  ＳＲに含まれた、ＤＬ  ＢＳＲの送信可能タイミング候補およびＤＬ  ＳＲへの応答信号であるＤＬ  Ｇｒａｎｔの受信可能タイミング候補情報を蓄積する。ＤＬ  ＳＲ／ＢＳＲ情報蓄積部２３２は、ＤＬ  ＳＲ／ＢＳＲ受信部２３１から出力されてきたＤＬ  ＢＳＲに含まれた、下りデータ（ＤＬ  Ｄａｔａ）の送信可能タイミング候補およびＤＬ  ＢＳＲへの応答信号であるＤＬ  Ｇｒａｎｔ受信可能タイミング候補情報を蓄積する。
【０１１４】
ＤＬ送受信候補タイミング抽出部２３３は、ＤＬ  ＳＲ／ＢＳＲ情報蓄積部２３２から、ＤＬ  ＢＳＲの送信可能タイミング候補およびＤＬ  ＳＲへの応答信号であるＤＬ  Ｇｒａｎｔの受信可能タイミング候補情報を抽出する。また、ＤＬ送受信候補タイミング抽出部２３３は、ＤＬ  ＳＲ／ＢＳＲ情報蓄積部２３２から、ＤＬ  Ｄａｔａの送信可能タイミング候補およびＤＬ  ＢＳＲへの応答信号であるＤＬ  Ｇｒａｎｔ受信可能タイミング候補情報を抽出する。
【０１１５】
ＤＬ  Ｇｒａｎｔ情報蓄積部２３４は、ＤＬ  Ｇｒａｎｔ送信部２３８が送信したＤＬ  ＢＳＲ／ＤＬ  Ｄａｔａの送信タイミングおよびＤＬ  Ｇｒａｎｔの受信タイミング情報を蓄積する。
【０１１６】
ＤＬ送受信確定タイミング抽出部２３５は、ＤＬ  Ｇｒａｎｔ情報蓄積部２３４から、ＤＬ  ＳＲ／ＢＳＲの送信タイミングおよびＤＬ  Ｇｒａｎｔの受信タイミング情報を抽出する。
【０１１７】
ＤＬ  Ｇｒａｎｔ確定タイミング付与部２３６は、ＤＬ送受信確定タイミング抽出部２３５およびＤＬ送受信候補タイミング抽出部２３３が抽出したタイミングに基づいて、ＤＬ  Ｇｒａｎｔの受信タイミングおよびＤＬ  ＢＳＲ／ＤＬ  Ｄａｔａの送信タイミングを付与する。
【０１１８】
ＤＬ  Ｇｒａｎｔ生成部２３７は、ＤＬ  Ｇｒａｎｔ確定タイミング付与部２３６が付与したタイミングに基づいて、ＤＬ  Ｇｒａｎｔを生成する。
【０１１９】
ＤＬ  Ｇｒａｎｔ送信部２３８は、ＤＬ  Ｇｒａｎｔ生成部２３７が生成したＤＬ  ＧｒａｎｔをＤｅＮＢ１０４−１、１０４−２へ送信する。
【０１２０】
図１６は、図１４に示したＤｅＮＢ１０４−１の内部構成の一例を示す図である。
【０１２１】
図１４に示したＤｅＮＢ１０４−１は図１６に示すように、送信部１０５と、ＤＬ  Ｄａｔａ受信部１３１とを有している。さらに、送信部１０５は、ＤＬ  Ｇｒａｎｔ受信部１３０と、ＤＬ  Ｇｒａｎｔ情報蓄積部１３２と、ＤＬ  ＳＲ／ＢＳＲ情報蓄積部１３３と、ＤＬ送信確定タイミング抽出部１３４と、ＤＬ送受信候補タイミング抽出部１３５と、ＤＬ対向ノード判別部１３６と、ＤＬ対向ノードフラグ付与部１３７と、ＤＬ送受信可能タイミング候補付与部１３８と、ＤＬ  ＳＲ／ＢＳＲ判別部１３９と、ＤＬ  ＢＳＲ生成部１４０と、ＤＬ  ＢＳＲ送信部１４１と、ＤＬ  ＳＲ生成部１４２と、ＤＬ  ＳＲ送信部１４３と、ＤＬ  Ｄａｔａ送信可否判別部１４４と、ＳＲ／ＢＳＲ再送処理部１４５と、ＤＬ  Ｄａｔａ送信部１４６とを有している。なお、図１６には、図１４に示したＤｅＮＢ１０４−１が具備する構成要素のうち、本形態に関わる構成要素のみを示した。また、図１４に示したＤｅＮＢ１０４−２についても、図１６に示した構成要素を具備している。
【０１２２】
ＤＬ  Ｄａｔａ受信部１３１は、ＳＧＷ等の上位装置から送信されてきた下りデータ（ＤＬ  Ｄａｔａ）を受信する。ＤＬ  Ｄａｔａ受信部１３１は、受信したＤＬ  ＤａｔａをＤＬ対向ノード判別部１３６へ出力する。
【０１２３】
ＤＬ  Ｇｒａｎｔ受信部１３０は、ＲＮ２０５から送信されてきたＤＬ  Ｇｒａｎｔを受信する。ＤＬ  Ｇｒａｎｔ受信部１３０は、受信したＤＬ  ＧｒａｎｔをＤＬ  Ｇｒａｎｔ情報蓄積部１３２へ出力する。
【０１２４】
ＤＬ  Ｇｒａｎｔ情報蓄積部１３２は、ＤＬ  Ｇｒａｎｔ受信部１３０から出力されてきたＤＬ  Ｇｒａｎｔを蓄積する。
【０１２５】
ＤＬ  ＳＲ／ＢＳＲ情報蓄積部１３３は、ＤＬ  ＳＲ送信部１４３が送信済みのＤＬ  ＳＲに含まれるＤＬ  ＢＳＲの送信タイミング情報およびＤＬ  Ｇｒａｎｔの受信タイミング情報を蓄積する。また、ＤＬ  ＳＲ／ＢＳＲ情報蓄積部１３３は、ＤＬ  ＢＳＲ送信部１４１が送信済みのＤＬ  ＢＳＲに含まれるＤＬ  Ｄａｔａの送信タイミング情報およびＤＬ  Ｇｒａｎｔの受信タイミング情報を蓄積する。
【０１２６】
ＤＬ送信確定タイミング抽出部１３４は、ＤＬ  Ｇｒａｎｔ情報蓄積部１３２が蓄積しているＤＬ  Ｇｒａｎｔを用いて、ＤＬ  ＳＲに含めるＤＬ  ＢＳＲの送信タイミング候補を抽出する。また、ＤＬ送信確定タイミング抽出部１３４は、ＤＬ  Ｇｒａｎｔ情報蓄積部１３２が蓄積しているＤＬ  Ｇｒａｎｔを用いて、ＤＬ  ＢＳＲに含めるＤＬ  Ｄａｔａの送信可能タイミング候補を抽出する。
【０１２７】
ＤＬ送受信候補タイミング抽出部１３５は、ＤＬ  ＳＲ／ＢＳＲ情報蓄積部１３３が蓄積しているＤＬ  ＳＲに含めたＤＬ  ＢＳＲの送信タイミング候補およびＤＬ  Ｇｒａｎｔの受信タイミングを参照する。また、ＤＬ送受信候補タイミング抽出部１３５は、ＤＬ  ＳＲ／ＢＳＲ情報蓄積部１３３が蓄積しているＤＬ  ＢＳＲに含めたＤＬ  Ｄａｔａの送信タイミング候補およびＤＬ  Ｇｒａｎｔの受信タイミングを参照する。そして、ＤＬ送受信候補タイミング抽出部１３５は、これらの参照したタイミングから、該当ＤＬ  ＳＲ／ＢＳＲで送信することが可能な次ＤＬ  ＢＳＲ／ＤＬ  Ｄａｔａに対する送信タイミング候補と、該当ＤＬ  ＢＳＲ／ＤＬ  Ｄａｔａを送信するためのＤＬ  Ｇｒａｎｔを受信する受信タイミング候補を抽出する。
【０１２８】
ＤＬ対向ノード判別部１３６は、対向ノードを判別する。具体的には、ＤＬ対向ノード判別部１３６は、対向ノードが、ＲＮ２０５であるか、またはＵＥ３００−１、３００−２であるかを判別する。本形態においては、送信部１０５がＤｅＮＢ１０４−１に実装されているため、ＤＬ対向ノード判別部１３６は、対向ノードはＲＮ２０５であると判別する。一方、送信部１０５がＲＮ２０５に実装されている場合は、ＤＬ対向ノード判別部１３６は、対向ノードはＵＥ３００−１、３００−２であると判別する。
【０１２９】
ＤＬ対向ノードフラグ付与部１３７は、ＤＬ対向ノード判別部１３６が判別した結果に応じてフラグを付与する。
【０１３０】
ＤＬ送受信可能タイミング候補付与部１３８は、ＤＬ  ＳＲに含めるＤＬ  ＢＳＲの送信可能タイミング候補およびＤＬ  Ｇｒａｎｔの受信可能タイミング候補を付与する。これらは、ＤＬ送受信候補タイミング抽出部１３５およびＤＬ送信確定タイミング抽出部１３４が抽出した情報に基づいて行われる。
また、ＤＬ送受信可能タイミング候補付与部１３８は、ＤＬ  ＢＳＲに含めるＤＬ  Ｄａｔａの送信可能タイミング候補およびＤＬ  Ｇｒａｎｔの受信可能タイミング候補を付与する。これらは、ＤＬ送受信候補タイミング抽出部１３５およびＤＬ送信確定タイミング抽出部１３４が抽出した情報に基づいて行われる。
【０１３１】
ＤＬ  ＳＲ／ＢＳＲ判別部１３９は、ＤＬ  Ｇｒａｎｔに基づいて、次に送信すべき信号がＤＬ  ＳＲとＤＬ  ＢＳＲとのどちらであるかを判別する。
【０１３２】
ＤＬ  ＢＳＲ生成部１４０は、ＤＬ  ＳＲ／ＢＳＲ判別部１３９が、次に送信すべき信号がＤＬ  ＢＳＲであると判別した場合、上記タイミング情報を含めたＤＬ  ＢＳＲを生成する。
【０１３３】
ＤＬ  ＢＳＲ送信部１４１は、ＤＬ  ＢＳＲ生成部１４０が生成したＤＬ  ＢＳＲをＲＮ２０５へ送信する下りバッファ状態報告信号送信部である。つまり、ＤＬ  ＢＳＲ送信部１４１は、ＤＬ  ＢＳＲをＲＮ２０５へ送信する際、ＤＬ  ＢＳＲに対するＤＬ  Ｇｒａｎｔを受信可能なタイミングを示す情報と、ＤＬ  ＤａｔａをＲＮ２０５へ送信することが可能なタイミングを示す情報とをＤＬ  ＢＳＲに含めて送信する。
【０１３４】
ＤＬ  ＳＲ生成部１４２は、ＤＬ  ＳＲ／ＢＳＲ判別部１３９が、次に送信すべき信号がＤＬ  ＳＲであると判別した場合、上記タイミング情報を含めたＤＬ  ＳＲを生成する。
【０１３５】
ＤＬ  ＳＲ送信部１４３は、ＤＬ  ＳＲ生成部１４２が生成したＤＬ  ＳＲをＲＮ２０５へ送信する下りスケジューリング要求信号送信部である。つまり、ＤＬ  ＳＲ送信部１４３は、ＤＬ  ＳＲをＲＮ２０５へ送信する際、ＤＬ  ＳＲに対するＤＬ  Ｇｒａｎｔを受信可能なタイミングを示す情報と、ＤＬ  ＢＳＲをＲＮ２０５へ送信することが可能なタイミングを示す情報とをＤＬ  ＳＲに含めて送信する。
【０１３６】
ＤＬ  Ｄａｔａ送信可否判別部１４４は、ＤＬ  Ｇｒａｎｔ情報蓄積部１３２が蓄積しているＤＬ  Ｇｒａｎｔに基づいて、ＤＬ  Ｄａｔａの送信の可否を判別する。具体的には、ＤＬ  Ｄａｔａ送信可否判別部１４４は、ＤＬ  Ｇｒａｎｔ情報蓄積部１３２が蓄積しているＤＬ  Ｇｒａｎｔで通知した送信タイミングに基づいて、ＤＬ  Ｄａｔａの送信の可否を判別する。
【０１３７】
ＳＲ／ＢＳＲ再送処理部１４５は、ＤＬ  Ｄａｔａ送信可否判別部１４４がＤＬ  Ｄａｔａを送信することができないと判別した場合、ＤＬ  ＳＲおよびＤＬ  ＢＳＲの再送処理を行う。
【０１３８】
ＤＬ  Ｄａｔａ送信部１４６は、ＤＬ  Ｄａｔａ送信可否判別部１４４がＤＬ  Ｄａｔａを送信することができると判別した場合、ＲＮ２０５へＤＬ  Ｄａｔａを送信する。
【０１３９】
以下に、図１４に示した通信システムにおける通信方法について説明する。ここでは、ＤｅＮＢ１０４−１とＵＥ３００−１との間の通信をＲＮ２０５が中継する場合を例に挙げて説明する。
【０１４０】
まずは、図１４に示したＤｅＮＢ１０４−１におけるＤＬ  ＳＲ／ＤＬ  ＢＳＲの送信処理について説明する。
【０１４１】
図１７は、図１４に示した通信システムにおける通信方法のうち、図１４に示したＤｅＮＢ１０４−１におけるＤＬ  ＳＲ／ＤＬ  ＢＳＲの送信処理の一例を説明するためのフローチャートである。
【０１４２】
まず、ＤｅＮＢ１０４−１が、ＤＬ  ＳＲまたはＤＬ  ＢＳＲの送信を開始すると（ステップＳ９１）、ＤＬ対向ノード判別部１３６が、対向ノードがＲＮ２０５と、ＵＥ３００−１とのどちらであるかを判別する（ステップＳ９２）。ＤＬ対向ノード判別部１３６が、対向ノードがＲＮ２０５であると判別すると、ＤＬ対向ノードフラグ付与部１３７は、ＲＮフラグを付与する（ステップＳ９３）。
【０１４３】
すると、ＤＬ  Ｇｒａｎｔ受信部１３０がＤＬ  Ｇｒａｎｔを受信しているか、つまり、ＤＬ  Ｇｒａｎｔ情報蓄積部１３２がＤＬ  Ｇｒａｎｔを蓄積しているかどうかを判別する（ステップＳ９４）。ＤＬ  Ｇｒａｎｔ情報蓄積部１３２がＤＬ  Ｇｒａｎｔを蓄積している場合、ＤＬ送信確定タイミング抽出部１３４は、蓄積しているＤＬ  Ｇｒａｎｔで割り当て済みのＤｏｗｎｌｉｎｋの送信タイミングを除去する（ステップＳ９５）。
【０１４４】
一方、ステップＳ９４にて、ＤＬ  Ｇｒａｎｔ情報蓄積部１３２がＤＬ  Ｇｒａｎｔを蓄積していない場合、ステップＳ９５の処理は行われない。
【０１４５】
続いて、ＤＬ  ＳＲ／ＢＳＲ情報蓄積部１３３は、ＤＬ  ＳＲ送信部１４３がＤＬ  ＳＲを送信済みか、またはＤＬ  ＢＳＲ送信部１４１がＤＬ  ＢＳＲを送信済みかどうかを判別する（ステップＳ９６）。この判別には、ＤＬ  ＳＲ／ＢＳＲ情報蓄積部１３３が、ＤＬ  ＢＳＲの送信タイミング情報およびＤＬ  Ｇｒａｎｔの受信タイミング情報、またはＤＬ  Ｄａｔａの送信タイミング情報およびＤＬ  Ｇｒａｎｔの受信タイミング情報を蓄積しているかどうかを判別することを用いる。
【０１４６】
例えば、ＤＬ  ＳＲ／ＢＳＲ情報蓄積部１３３が、ＤＬ  ＢＳＲの送信タイミング情報およびＤＬ  Ｇｒａｎｔの受信タイミング情報を蓄積している場合、ＤＬ  ＳＲ／ＢＳＲ情報蓄積部１３３は、ＤＬ  ＳＲ送信部１４３がＤＬ  ＳＲを送信済みであると判別する。
また、例えば、ＤＬ  ＳＲ／ＢＳＲ情報蓄積部１３３は、ＤＬ  Ｄａｔａの送信タイミング情報およびＤＬ  Ｇｒａｎｔの受信タイミング情報を蓄積しているとする。この場合には、ＤＬ  ＳＲ／ＢＳＲ情報蓄積部１３３は、ＤＬ  ＢＳＲ送信部１４１がＤＬ  ＢＳＲを送信済みであると判別する。
【０１４７】
また、ＤＬ  ＳＲ／ＢＳＲ情報蓄積部１３３が、ＤＬ  ＳＲ送信部１４３がＤＬ  ＳＲを送信済みであると判別したとする。この場合には、ＤＬ送受信候補タイミング抽出部１３５は、ＤＬ  ＳＲを用いて通知済みのＤＬ  Ｇｒａｎｔ受信可能タイミングとＤｏｗｎｌｉｎｋ送信可能タイミングとを除去する。
また、ＤＬ  ＳＲ／ＢＳＲ情報蓄積部１３３が、ＤＬ  ＢＳＲ送信部１４１がＤＬ  ＢＳＲを送信済みであると判別したとする。この場合には、ＤＬ送受信候補タイミング抽出部１３５は、ＤＬ  ＢＳＲを用いて通知済みのＤＬ  Ｇｒａｎｔ受信可能タイミングとＤｏｗｎｌｉｎｋ送信可能タイミングとを除去する（ステップＳ９７）。
【０１４８】
一方、ステップＳ９６にて、ＤＬ  ＳＲ／ＢＳＲ情報蓄積部１３３が、ＤＬ  ＳＲ送信部１４３がＤＬ  ＳＲを、またＤＬ  ＢＳＲ送信部１４１がＤＬ  ＢＳＲを送信済みではないと判別した場合は、ステップＳ９７の処理は行われない。
【０１４９】
続いて、ＤＬ送受信可能タイミング候補付与部１３８は、送信する信号がＤＬ  ＳＲである場合、上記のタイミングの除去の結果に基づいて、ＤＬ  ＳＲに含めるＤＬ  ＢＳＲの送信可能タイミング候補およびＤＬ  Ｇｒａｎｔの受信可能タイミング候補を付与する。すると、付与されたタイミング情報を含めたＤＬ  ＳＲをＤＬ  ＳＲ生成部１４２が生成し、ＤＬ  ＳＲ送信部１４３がＲＮ２０５へ送信する。また、ＤＬ送受信可能タイミング候補付与部１３８は、送信する信号がＤＬ  ＢＳＲである場合、上記のタイミングの除去の結果に基づいて、ＤＬ  Ｄａｔａの送信可能タイミング候補およびＤＬ  Ｇｒａｎｔの受信可能タイミング候補を付与する。すると、付与されたタイミング情報を含めたＤＬ  ＢＳＲをＤＬ  ＢＳＲ生成部１４０が生成し、ＤＬ  ＢＳＲ送信部１４１がＲＮ２０５へ送信する（ステップＳ９８）。
【０１５０】
一方、送信部１０５がＲＮ２０５に実装されている場合、ステップＳ９２にて、ＤＬ対向ノード判別部１３６が、対向ノードがＵＥ３００−１であると判別する。このため、ＤＬ対向ノードフラグ付与部１３７は、ＵＥフラグを付与する（ステップＳ９９）。そして、ＲＮ２０５は、ＤＬ  ＤａｔａをＵＥ３００−１へ送信する（ステップＳ１００）。
【０１５１】
次に、図１４に示したＲＮ２０５におけるＤＬ  Ｇｒａｎｔの送信処理について説明する。
【０１５２】
図１８は、図１４に示した通信システムにおける通信方法のうち、図１４に示したＲＮ２０５におけるＤＬ  Ｇｒａｎｔの送信処理の一例を説明するためのフローチャートである。
【０１５３】
まず、ＤＬ  ＳＲ／ＢＳＲ受信部２３１がＤＬ  ＳＲまたはＤＬ  ＢＳＲを受信すると（ステップＳ１１１）、ＤＬ  Ｇｒａｎｔ送信部２３８が他のＤＬ  Ｇｒａｎｔを送信したかどうかを判別する（ステップＳ１１２）。例えば、ＤＬ  Ｇｒａｎｔ情報蓄積部２３４は、ＤＬ  Ｇｒａｎｔ送信部２３８から送信済みのＤＬ  Ｇｒａｎｔの受信タイミング情報を蓄積しているかどうかに基づいて、ＤＬ  Ｇｒａｎｔ送信部２３８が他のＤＬ  Ｇｒａｎｔを送信したかどうかを判別してもよい。具体的には、ＤＬ  Ｇｒａｎｔ情報蓄積部２３４は、ＤＬ  Ｇｒａｎｔ送信部２３８から送信済みのＤＬ  Ｇｒａｎｔの受信タイミング情報を蓄積している場合、ＤＬ  Ｇｒａｎｔ送信部２３８が他のＤＬ  Ｇｒａｎｔを送信したと判別してもよい。
【０１５４】
ステップＳ１１２において、ＤＬ  Ｇｒａｎｔ送信部２３８が他のＤＬ  Ｇｒａｎｔを送信したと判別したとする。この場合には、ＤＬ送受信確定タイミング抽出部２３５は、ＤＬ  Ｇｒａｎｔ情報蓄積部２３４が蓄積しているＤＬ  Ｇｒａｎｔで割り当て済みのＤＬ  Ｇｒａｎｔの受信タイミングとＤｏｗｎｌｉｎｋの送信タイミングとを除去する（ステップＳ１１３）。
【０１５５】
一方、ステップＳ１１２にて、ＤＬ  Ｇｒａｎｔ情報蓄積部２３４がＤＬ  Ｇｒａｎｔを蓄積していない場合、ステップＳ１１３の処理は行われない。
【０１５６】
続いて、ＤＬ  ＳＲ／ＢＳＲ受信部２３１が受信したＤＬ  ＳＲ／ＤＬ  ＢＳＲの中にＤＬ  Ｇｒａｎｔ受信可能タイミングとＤｏｗｎｌｉｎｋ送信可能タイミングとが含まれているかどうかを、ＤＬ  ＳＲ／ＢＳＲ情報蓄積部２３２が判別する（ステップＳ１１４）。ＤＬ  ＳＲ／ＢＳＲ受信部２３１が受信したＤＬ  ＳＲ／ＤＬ  ＢＳＲの中にＤＬ  Ｇｒａｎｔ受信可能タイミングとＤｏｗｎｌｉｎｋ送信可能タイミングとが含まれている場合、ＤＬ  ＳＲ／ＢＳＲ情報蓄積部２３２は、それらのタイミングを蓄積する。すると、ＤＬ送受信候補タイミング抽出部２３３は、ＤＬ  ＳＲ／ＢＳＲ情報蓄積部２３２に蓄積されているＤＬ  Ｇｒａｎｔ受信可能タイミングとＤｏｗｎｌｉｎｋ送信可能タイミングとを抽出する（ステップＳ１１５）。
【０１５７】
続いて、ＤＬ  Ｇｒａｎｔ確定タイミング付与部２３６は、ＤＬ送受信確定タイミング抽出部２３５およびＤＬ送受信候補タイミング抽出部２３３が抽出したタイミングで、ＤＬ  Ｇｒａｎｔを送信可能であるかどうかを判別する（ステップＳ１１６）。ＤＬ  Ｇｒａｎｔ確定タイミング付与部２３６が、抽出されたタイミングでＤＬ  Ｇｒａｎｔを送信可能であると判別した場合、当該タイミングをＤＬ  Ｇｒａｎｔの受信タイミングおよびＤＬ  ＢＳＲ／ＤＬ  Ｄａｔａの送信タイミングとして付与する。すると、ＤＬ  Ｇｒａｎｔ生成部２３７は、ＤＬ  Ｇｒａｎｔ確定タイミング付与部２３６が付与した情報に基づいて、ＤＬ  Ｇｒａｎｔを生成する。続いて、ＤＬ  Ｇｒａｎｔ送信部２３８は、ＤＬ  Ｇｒａｎｔ生成部２３７が生成したＤＬ  ＧｒａｎｔをＤｅＮＢ１０４−１へ送信する（ステップＳ１１７）。
【０１５８】
一方、ステップＳ１１４にて、ＤＬ  ＳＲ／ＢＳＲ受信部２３１が受信したＤＬ  ＳＲ／ＤＬ  ＢＳＲの中にＤＬ  Ｇｒａｎｔ受信可能タイミングとＤｏｗｎｌｉｎｋ送信可能タイミングとが含まれていないとする。この場合には、ＤＬ  Ｇｒａｎｔ生成部２３７はＤＬ  Ｇｒａｎｔを生成する。続いて、ＤＬ  Ｇｒａｎｔ送信部２３８は、ＤＬ  Ｇｒａｎｔ生成部２３７が生成したＤＬ  ＧｒａｎｔをＤｅＮＢ１０４−１へ送信する（ステップＳ１１８）。
【０１５９】
また、ステップＳ１１６にて、ＤＬ  Ｇｒａｎｔ確定タイミング付与部２３６が、抽出されたタイミングでＤＬ  Ｇｒａｎｔを送信可能ではないと判別したとする。この場合には、ＤＬ  Ｇｒａｎｔ確定タイミング付与部２３６は、当該タイミング以外のタイミングをＤＬ  Ｇｒａｎｔの受信タイミングおよびＤＬ  ＢＳＲ／ＤＬ  Ｄａｔａの送信タイミングとして付与する。すると、ＤＬ  Ｇｒａｎｔ生成部２３７は、ＤＬ  Ｇｒａｎｔ確定タイミング付与部２３６が付与した情報に基づいて、ＤＬ  Ｇｒａｎｔを生成する。続いて、ＤＬ  Ｇｒａｎｔ送信部２３８は、ＤＬ  Ｇｒａｎｔ生成部２３７が生成したＤＬ  ＧｒａｎｔをＤｅＮＢ１０４−１へ送信する（ステップＳ１１９）。
【０１６０】
次に、図１４に示したＤｅＮＢ１０４−１におけるＤＬ  Ｄａｔａの送信処理について説明する。
【０１６１】
図１９は、図１４に示した通信システムにおける通信方法のうち、図１４に示したＤｅＮＢ１０４−１におけるＤＬ  Ｄａｔａの送信処理の一例を説明するためのフローチャートである。
【０１６２】
まず、ＤＬ  Ｇｒａｎｔ受信部１３０が、ＲＮ２０５から送信されてきたＤＬ  Ｇｒａｎｔを受信すると（ステップＳ１２１）、受信したＤＬ  Ｇｒａｎｔに含まれるタイミング情報をＤＬ  Ｇｒａｎｔ情報蓄積部１３２が蓄積する。続いて、ＤＬ  Ｄａｔａ送信可否判別部１４４が、ＤＬ  Ｇｒａｎｔ情報蓄積部１３２が蓄積されたタイミング情報に基づいて、ＤＬ  Ｄａｔａを送信できるかどうかを判別する（ステップＳ１２２）。例えば、ＤＬ  Ｄａｔａ送信可否判別部１４４は、ＤＬ  Ｇｒａｎｔ情報蓄積部１３２が蓄積しているタイミング情報が他のＲＮへの送信に使われている場合、ＤＬ  Ｄａｔａを送信できないと判別する。ＤＬ  Ｄａｔａ送信可否判別部１４４が、ＤＬ  Ｇｒａｎｔ受信部１３０が受信したタイミングでＤＬ  Ｄａｔａを送信できると判別した場合、ＤＬ  Ｄａｔａ送信部１４６は当該タイミングでＤＬ  ＤａｔａをＲＮ２０５へ送信する（ステップＳ１２３）。
【０１６３】
一方、ステップＳ１２２にて、ＤＬ  Ｄａｔａ送信可否判別部１４４が、ＤＬ  Ｇｒａｎｔ受信部１３０が受信したタイミングでＤＬ  Ｄａｔａを送信できないと判別した場合は、ＳＲ／ＢＳＲ再送処理部１４５はＤＬ  ＳＲ／ＢＳＲの再送処理を行う（ステップＳ１２４）。
【０１６４】
以下に、上述した処理に基づいた、ＵＥ３００−１、３００−２、ＲＮ２０５およびＤｅＮＢ１０４−１、１０４−２の間のデータの流れについて説明する。
【０１６５】
図２０は、図１４に示した通信システムにおけるデータの流れの一例を説明するためのシーケンス図である。
【０１６６】
まず、ＤｅＮＢ１０４−１は、ＳＧＷ等の上位装置から下りデータを受信すると、ＲＮ２０５へＤＬ  ＳＲ＿ａを送信する（ステップＳ１３１）。このとき、ＤｅＮＢ１０４−１は、その応答信号であるＤＬ  Ｇｒａｎｔ  ｆｏｒ  ＳＲ＿ａの受信可能なタイミングと、ＤＬ  ＢＳＲ＿ａの送信可能なタイミングとを、ＤＬ  ＳＲ＿ａに含めて送信する。
また、ＤｅＮＢ１０４−２は、ＳＧＷ等の上位装置から下りデータを受信すると、ＲＮ２０５へＤＬ  ＳＲ＿ｂを送信する（ステップＳ１３２）。このとき、ＤｅＮＢ１０４−２は、その応答信号であるＤＬ  Ｇｒａｎｔ  ｆｏｒ  ＳＲ＿ｂの受信可能なタイミングと、ＤＬ  ＢＳＲ＿ｂの送信可能なタイミングとを、ＤＬ  ＳＲ＿ｂに含めて送信する。
【０１６７】
すると、ＲＮ２０５は、ＤＬ  ＳＲ＿ａの応答信号であるＤＬ  Ｇｒａｎｔ  ｆｏｒ  ＳＲ＿ａを、ＤｅＮＢ１０４−１から送信されてきたＤＬ  ＳＲ＿ａに含まれる受信可能なタイミングでＤｅＮＢ１０４−１へ送信する（ステップＳ１３３）。また、ＲＮ２０５は、ＤＬ  ＳＲ＿ｂの応答信号であるＤＬ  Ｇｒａｎｔ  ｆｏｒ  ＳＲ＿ｂを、ＤｅＮＢ１０４−２から送信されてきたＤＬ  ＳＲ＿ｂに含まれる受信可能なタイミングでＤｅＮＢ１０４−２へ送信する（ステップＳ１３４）。
なお、ＤＬ  Ｇｒａｎｔ  ｆｏｒ  ＳＲ＿ａとＤＬ  Ｇｒａｎｔ  ｆｏｒ  ＳＲ＿ｂとの送信タイミングが同時となる場合には、ＤＬ  ＳＲ＿ａ及びＤＬ  ＳＲ＿ｂに含まれるタイミングでそれぞれのＤＬ  Ｇｒａｎｔを送信することができない。この場合には、ＲＮ２０５は、ＤＬ  Ｇｒａｎｔ  ｆｏｒ  ＳＲ＿ａ及びＤＬ  Ｇｒａｎｔ  ｆｏｒ  ＳＲ＿ｂの受信タイミングを、ＤＬ  ＳＲ＿ａ及びＤＬ  ＳＲ＿ｂに含まれるタイミング以外のタイミングに変更してもよい。この場合、ＲＮ２０５は、さらに、ＤＬ  ＢＳＲ＿ａ及びＤＬ  ＢＳＲ＿ｂの送信タイミングも、異なるタイミングに変更してもよい。そして、ＲＮ２０５は、これらの変更されたタイミングに基づいて、ＤＬ  Ｇｒａｎｔ  ｆｏｒ  ＳＲ＿ａとＤＬ  Ｇｒａｎｔ  ｆｏｒ  ＳＲ＿ｂを生成してＤｅＮＢ１０４−１へ送信してもよい。これらの動作は、図１８のステップＳ１１９の処理に対応する。
【０１６８】
続いて、ＤｅＮＢ１０４−１は、ＤＬ  ＳＲ＿ａに含めて送信したＤＬ  ＢＳＲ＿ａの送信可能なタイミングで、ＲＮ２０５へＤＬ  ＢＳＲ＿ａを送信する（ステップＳ１３５）。このとき、ＤｅＮＢ１０４−１は、その応答信号であるＤＬ  Ｇｒａｎｔ  ｆｏｒ  ＢＳＲ＿ａの受信可能なタイミングと、ＤＬ  Ｄａｔａ＿ａの送信可能なタイミングとを、ＤＬ  ＢＳＲ＿ａに含めて送信する。また、ＤｅＮＢ１０４−２は、ＤＬ  ＳＲ＿ｂに含めて送信したＤＬ  ＢＳＲ＿ｂの送信可能なタイミングで、ＲＮ２０５へＤＬ  ＢＳＲ＿ｂを送信する（ステップＳ１３６）。このとき、ＤｅＮＢ１０４−２は、その応答信号であるＤＬ  Ｇｒａｎｔ  ｆｏｒ  ＢＳＲ＿ｂの受信可能なタイミングと、ＤＬ  Ｄａｔａ＿ｂの送信可能なタイミングとを、ＤＬ  ＢＳＲ＿ｂに含めて送信する。
【０１６９】
すると、ＲＮ２０５は、ＤＬ  ＢＳＲ＿ａの応答信号であるＤＬ  Ｇｒａｎｔ  ｆｏｒ  ＢＳＲ＿ａを、ＤｅＮＢ１０４−１から送信されてきたＤＬ  ＢＳＲ＿ａに含まれる受信可能なタイミングでＤｅＮＢ１０４−１へ送信する（ステップＳ１３７）。また、ＲＮ２０５は、ＤＬ  ＢＳＲ＿ｂの応答信号であるＤＬ  Ｇｒａｎｔ  ｆｏｒ  ＢＳＲ＿ｂを、ＤｅＮＢ１０４−２から送信されてきたＤＬ  ＢＳＲ＿ｂに含まれる受信可能なタイミングでＤｅＮＢ１０４−２へ送信する（ステップＳ１３８）。
【０１７０】
その後、ＤｅＮＢ１０４−１は、ＤＬ  ＢＳＲ＿ａに含めて送信したＤＬ  Ｄａｔａ＿ａの送信可能なタイミングで、ＲＮ２０５へＤＬ  Ｄａｔａ＿ａを送信する（ステップＳ１３９）。ＲＮ２０５は、ＤｅＮＢ１０４−１から送信されてきたＤＬ  Ｄａｔａ＿ａを受信すると、当該ＤＬ  Ｄａｔａ＿ａをＵＥ３００−１へ送信する（ステップＳ１４０）。
【０１７１】
また、ＤｅＮＢ１０４−２は、ＤＬ  ＢＳＲ＿ｂに含めて送信したＤＬ  Ｄａｔａ＿ｂの送信可能なタイミングで、ＲＮ２０５へＤＬ  Ｄａｔａ＿ｂを送信する（ステップＳ１４１）。ＲＮ２０５は、ＤｅＮＢ１０４−２から送信されてきたＤＬ  Ｄａｔａ＿ｂを受信すると、当該ＤＬ  Ｄａｔａ＿ｂをＵＥ３００−２へ送信する（ステップＳ１４２）。
【０１７２】
このように、ＤｅＮＢ１０４−１、１０４−２が、自身が応答信号を受信することが可能なタイミングや、下りデータを送信することが可能なタイミングをＲＮ２０５へ通知してから、当該タイミングで要求信号や下りデータをＲＮ２０５へ送信する。そのため、第４の実施の形態の通信システムは、応答信号の受信処理の失敗や下りデータの送信処理の失敗を防ぐことができ、ひいては、データ伝送の効率化を図ることができる。
【０１７３】
なお、変形例として、第３の実施の形態と第４の実施の形態とを融合したシステムであっても良い。
【０１７４】
各実施の形態の効果について、以下に述べる。
【０１７５】
第１の効果は、ＤＬ  ＳＲ、ＤＬ  ＢＳＲ、ＤＬ  Ｇｒａｎｔを送受信する機能を具備することにより、上位無線基地局装置だけではなく、下位無線中継基地局装置とＤＬ  Ｄａｔａを送信するタイミングをネゴシエーションできることである。さらに、ＤＬ  ＳＲ、ＤＬ  ＢＳＲに、次Ｄｏｗｎｌｉｎｋ通信（ＤＬ  ＢＳＲ、ＤＬ  Ｄａｔａ）の送信可能タイミングおよびＤＬ  Ｇｒａｎｔの受信タイミングを付与することができることである。
【０１７６】
その理由は、ＤＬ  Ｄａｔａを送信するタイミングをノード間でネゴシエーションを行うことで、同一タイミングでのＤＬ  Ｄａｔａを受信することを防ぐことを可能としたためである。
【０１７７】
第２の効果は、ＵＬ  ＳＲ、ＵＬ  ＢＳＲに、次Ｕｐｌｉｎｋ通信（ＵＬ  ＢＳＲ、ＵＬ  Ｄａｔａ）の送信可能タイミングおよびＵＬ  Ｇｒａｎｔの受信タイミングを付与することができることである。
【０１７８】
その理由は、ＵＬ  Ｄａｔａを送信するタイミングをノード間でネゴシエーションを行うことで、同一タイミングでのＵＬ  Ｄａｔａを受信することを防ぐことを可能としたためである。
【０１７９】
第３の効果は、ＤＬ対向ノード判別部を用いて、対向ノードに応じて、従来通りのＤＬ  Ｄａｔａの送信を行う方法と、ＤＬ  ＳＲを送信するなどを判別することができることである。
【０１８０】
その理由は、無線中継基地局装置に対しては上位無線基地局装置が複数局あるのに対し、無線通信端末との通信においてはＤｅＮＢもしくは上位ＲＮは一意に決定されるため、不必要な無線スケジューリング機能を排除することができるためである。
【０１８１】
第４の効果は、ＵＬ対向ノード判別部を用いて、対向ノードに応じて、従来通りのＵＬ  Ｄａｔａの送信を行う方法と、ＵＬ  ＳＲを送信するなどを判別することができることである。
【０１８２】
その理由は、無線中継基地局装置に対しては上位無線基地局装置が複数局あるのに対し、ＳＧＷ等との通信においては上位ノードは一意に決定されるため、不必要な無線スケジューリング機能を排除することができるためである。
【０１８３】
本発明の活用例として、ＭＶＮＯ（Ｍｏｂｉｌｅ  Ｖｉｒｔｕａｌ  Ｎｅｔｗｏｒｋ  Ｏｐｅｒａｔｏｒ）などにおける、無線基地局装置を複数のオペレータでシェアを行い、ＲＮも含め、ＲＡＮ（Ｒａｄｉｏ  Ａｃｃｅｓｓ  Ｎｅｔｗｏｒｋ）  Ｓｈａｒｉｎｇを行った場合に、無線リソースの改善につながる。
【０１８４】
上記の実施の形態の一部または全部は、以下の付記のようにも記載され得るが、以下には限られない。
【０１８５】
（付記１）通信端末から送信されてきた上りデータを無線基地局へ送信することが可能なタイミングを該無線基地局へ通知してから、前記上りデータを前記無線基地局へ送信する送信部を有する無線中継局。
【０１８６】
（付記２）前記送信部は、
前記通信端末から送信されてきた上りデータを無線基地局へ送信するための上りスケジューリング要求信号を、該上りスケジューリング要求信号に対する応答信号を受信可能なタイミングを示す情報と、上りバッファ状態報告信号を前記無線基地局へ送信することが可能なタイミングを示す情報とを含めて、前記無線基地局へ送信する上りスケジューリング要求信号送信部と、
前記上りスケジューリング要求信号に対する応答信号を受信した後、前記上りバッファ状態報告信号を、該上りバッファ状態報告信号に対する応答信号を受信可能なタイミングを示す情報と、前記上りデータを前記無線基地局へ送信することが可能なタイミングを示す情報とを含めて、前記無線基地局へ送信する上りバッファ状態報告信号送信部とを有する、付記１に記載の無線中継局。
【０１８７】
（付記３）通信端末との間の通信を中継する無線中継局へ下りデータを送信することが可能なタイミングを該無線中継局へ通知してから、前記下りデータを前記無線中継局へ送信する送信部を有する無線基地局。
【０１８８】
（付記４）前記送信部は、
前記無線中継局へ下りデータを送信するための下りスケジューリング要求信号を、該下りスケジューリング要求信号に対する応答信号を受信可能なタイミングを示す情報と、下りバッファ状態報告信号を前記無線中継局へ送信することが可能なタイミングを示す情報とを含めて、前記無線中継局へ送信する下りスケジューリング要求信号送信部と、
前記下りスケジューリング要求信号に対する応答信号を受信した後、前記下りバッファ状態報告信号を、該下りバッファ状態報告信号に対する応答信号を受信可能なタイミングを示す情報と、前記下りデータを前記無線中継局へ送信することが可能なタイミングを示す情報とを含めて、前記無線中継局へ送信する下りバッファ状態報告信号送信部とを有する、付記３に記載の無線基地局。
【０１８９】
（付記５）無線基地局と、通信端末と前記無線基地局との間の通信を中継する無線中継局とを有する通信システムにおいて、
前記無線中継局は、前記通信端末から送信されてきた上りデータを前記無線基地局へ送信することが可能なタイミングを該無線基地局へ通知してから、前記上りデータを前記無線基地局へ送信する送信部を有する通信システム。
【０１９０】
（付記６）無線基地局と、通信端末と前記無線基地局との間の通信を中継する無線中継局とを有する通信システムにおいて、
前記無線基地局は、前記無線中継局へ下りデータを送信することが可能なタイミングを該無線中継局へ通知してから、前記下りデータを前記無線中継局へ送信する送信部を有する通信システム。
【０１９１】
（付記７）通信端末から送信されてきた上りデータを無線基地局へ送信することが可能なタイミングを該無線基地局へ通知してから、前記上りデータを前記無線基地局へ送信する処理を行う通信方法。
【０１９２】
（付記８）通信端末との間の通信を中継する無線中継局へ下りデータを送信することが可能なタイミングを該無線中継局へ通知してから、前記下りデータを前記無線中継局へ送信する処理を行う通信方法。
【０１９３】
（付記９）無線基地局と、通信端末と前記無線基地局との間の通信を中継する無線中継局とを有する通信システムにおける通信方法であって、
前記無線中継局が、前記通信端末から送信されてきた上りデータを前記無線基地局へ送信することが可能なタイミングを該無線基地局へ通知してから、前記上りデータを前記無線基地局へ送信する処理を行う通信方法。
【０１９４】
（付記１０）無線基地局と、通信端末と前記無線基地局との間の通信を中継する無線中継局とを有する通信システムにおける通信方法であって、
前記無線基地局が、前記無線中継局へ下りデータを送信することが可能なタイミングを該無線中継局へ通知してから、前記下りデータを前記無線中継局へ送信する処理を行う通信方法。
【０１９５】
（付記１１）ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）またはＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）の通信方式を用いて、前記無線基地局へ上りの信号を送信する、付記２に記載の無線中継局。
【０１９６】
（付記１２）直交周波数分割多重アクセス方式を用いて、前記無線中継局へ下りの信号を送信する、付記４に記載の無線基地局。
【０１９７】
以上、実施形態を参照して本願発明を説明したが、本願発明は上記の実施形態に限定されない。本願発明の構成や詳細には、本願発明のスコープ内で当業者が理解し得る様々な変更をすることができる。
【０１９８】
この出願は、２０１４年１０月１５日に出願された日本出願特願２０１４−２１０８７３を基礎とする優先権を主張し、その開示の全てをここに取り込む。
【符号の説明】
【０１９９】
１００、１０１、１０３−１、１０３−２、１０４−１、１０４−２    ＤｅＮＢ
１０２、１０５、２０１、２０４    送信部
１１０    ＵＬ  ＳＲ／ＢＳＲ受信部
１１１    ＵＬ  ＳＲ／ＢＳＲ情報蓄積部
１１２    ＵＬ送受信候補タイミング抽出部
１１３    ＵＬ  Ｇｒａｎｔ情報蓄積部
１１４    ＵＬ送受信確定タイミング抽出部
１１５    ＵＬ対向ノード判別部
１１６    ＵＬ  Ｇｒａｎｔ確定タイミング付与部
１１７    ＵＬ  Ｇｒａｎｔ生成部
１１８    ＵＬ  Ｇｒａｎｔ送信部
１３０    ＤＬ  Ｇｒａｎｔ受信部
１３１    ＤＬ  Ｄａｔａ受信部
１３２    ＤＬ  Ｇｒａｎｔ情報蓄積部
１３３    ＤＬ  ＳＲ／ＢＳＲ情報蓄積部
１３４    ＤＬ送信確定タイミング抽出部
１３５    ＤＬ送受信候補タイミング抽出部
１３６    ＤＬ対向ノード判別部
１３７    ＤＬ対向ノードフラグ付与部
１３８    ＤＬ送受信可能タイミング候補付与部
１３９    ＤＬ  ＳＲ／ＢＳＲ判別部
１４０    ＤＬ  ＢＳＲ生成部
１４１    ＤＬ  ＢＳＲ送信部
１４２    ＤＬ  ＳＲ生成部
１４３    ＤＬ  ＳＲ送信部
１４４    ＤＬ  Ｄａｔａ送信可否判別部
１４５、２２５    ＳＲ／ＢＳＲ再送処理部
１４６    ＤＬ  Ｄａｔａ送信部
２００、２０２、２０３、２０５    ＲＮ
２１０    ＵＬ  Ｇｒａｎｔ受信部
２１１    ＵＬ  Ｄａｔａ受信部
２１２    ＵＬ  Ｇｒａｎｔ情報蓄積部
２１３    ＵＬ  ＳＲ／ＢＳＲ情報蓄積部
２１４    ＵＬ送信確定タイミング抽出部
２１５    ＵＬ送受信候補タイミング抽出部
２１６    ＵＬ対向ノード判別部
２１７    ＵＬ対向ノードフラグ付与部
２１８    ＵＬ送受信可能タイミング候補付与部
２１９    ＵＬ  ＳＲ／ＢＳＲ判別部
２２０    ＵＬ  ＢＳＲ生成部
２２１    ＵＬ  ＢＳＲ送信部
２２２    ＵＬ  ＳＲ生成部
２２３    ＵＬ  ＳＲ送信部
２２４    ＵＬ  Ｄａｔａ送信可否判別部
２２６    ＵＬ  Ｄａｔａ送信部
２３１    ＤＬ  ＳＲ／ＢＳＲ受信部
２３２    ＤＬ  ＳＲ／ＢＳＲ情報蓄積部
２３３    ＤＬ送受信候補タイミング抽出部
２３４    ＤＬ  Ｇｒａｎｔ情報蓄積部
２３５    ＤＬ送受信確定タイミング抽出部
２３６    ＤＬ  Ｇｒａｎｔ確定タイミング付与部
２３７    ＤＬ  Ｇｒａｎｔ生成部
２３８    ＤＬ  Ｇｒａｎｔ送信部
３００、３００−１、３００−２    ＵＥ
【図１】
2016059782.tif 000003
【図２】
2016059782.tif 000004
【図３】
2016059782.tif 000005
【図４】
2016059782.tif 000006
【図５】
2016059782.tif 000007
【図６】
2016059782.tif 000008
【図７】
2016059782.tif 000009
【図８】
2016059782.tif 000010
【図９】
2016059782.tif 000011
【図１０】
2016059782.tif 000012
【図１１】
2016059782.tif 000013
【図１２】
2016059782.tif 000014
【図１３】
2016059782.tif 000015
【図１４】
2016059782.tif 000016
【図１５】
2016059782.tif 000017
【図１６】
2016059782.tif 000018
【図１７】
2016059782.tif 000019
【図１８】
2016059782.tif 000020
【図１９】
2016059782.tif 000021
【図２０】
2016059782.tif 000022
【図２１】
2016059782.tif 000023
【図２２】
2016059782.tif 000024
【図２３】
2016059782.tif 000025
【図２４】
2016059782.tif 000026
【国際調査報告】
2016059782.tif 000027
2016059782.tif 000028
2016059782.tif 000029
2016059782.tif 000030